(57)【特許請求の範囲】
【請求項１】
ユーザ機器であって、
第１キャリアの第１周波数リソースにおいてチャネル状態測定を実行して第１チャネル状態情報（ＣＳＩ）を取得し、前記第１キャリアの第２周波数リソースにおいてチャネル状態測定を実行して第２ＣＳＩを取得するように構成される処理モジュールであって、前記第２周波数リソースが異なるオペレータまたはシステムから潜在的な隣接チャネル干渉を受ける周波数リソースとなり、かつ、前記第１周波数リソースが潜在的な隣接チャネル干渉を受けない周波数リソースとなるように、前記ユーザ機器によって用いられる前記第１キャリアが前記第１周波数リソースおよび前記第２周波数リソースへ分割され、前記第１周波数リソース及び前記第２周波数リソースは重なっておらず、前記第１周波数リソース内の複数のリソースブロックは連続しており、前記第２周波数リソース内の複数のリソースブロックは連続しており、前記第２周波数リソースは、前記第１キャリアのエッジリソースブロックを含み、前記エッジリソースブロックは、前記第１キャリアのエッジにおけるリソースブロックを指す、処理モジュールと、
前記第１ＣＳＩに関する情報及び前記第２ＣＳＩに関する情報を第２通信デバイスに報告するように構成される送信モジュールと
を備えるユーザ機器。
【請求項２】
前記処理モジュールは、前記第１ＣＳＩ及び前記第２ＣＳＩに従って前記第１キャリア上の第１干渉情報を決定するようにさらに構成され、
前記送信モジュールは、前記第１干渉情報を前記第２通信デバイスに報告する方式で、前記第１ＣＳＩに関する前記情報及び前記第２ＣＳＩに関する前記情報を前記第２通信デバイスに報告するように構成される、請求項１に記載のユーザ機器。
【請求項３】
前記処理モジュールは、前記第１ＣＳＩと前記第２ＣＳＩとの間の差が予め設定された閾値より大きい場合、前記第１キャリアの前記第２周波数リソース上で干渉を受けていると決定し、又は、第２ＣＳＩのＮ個の連続する部分が、前記処理モジュールにより測定された過去の平均的な第２ＣＳＩよりも少ない場合、前記第１キャリアの前記第２周波数リソース上で干渉を受けていると決定するように構成され、Ｎは、予め設定された自然数であり、Ｎ≧２であり、
前記送信モジュールは、前記第１キャリアの前記第２周波数リソース上で干渉を受けているか否かに関するインジケーション情報を前記第２通信デバイスに報告するように構成される、請求項２に記載のユーザ機器。
【請求項４】
前記処理モジュールは、前記第１ＣＳＩと前記第２ＣＳＩとの間の差が含まれる差分範囲に従って、前記第１キャリアの前記第２周波数リソースで受けている干渉の程度を決定するように構成され、
前記送信モジュールは、前記第１キャリアの前記第２周波数リソースで受けている前記干渉の程度を前記第２通信デバイスに報告するように構成される、請求項２に記載のユーザ機器。
【請求項５】
前記第１ＣＳＩは、前記第１周波数リソースに対応する平均的なチャネル状態情報であり、前記第２ＣＳＩは、前記第２周波数リソースに対応する平均的なチャネル状態情報である、請求項１から４のいずれか一項に記載のユーザ機器。
【請求項６】
前記処理モジュールは、前記第１キャリアの前記第１周波数リソースにおいてチャネル状態測定を実行して前記第１ＣＳＩを取得する前に、前記第１周波数リソースの周波数帯情報を取得し、前記第１キャリアの前記第２周波数リソースにおいてチャネル状態測定を実行して前記第２ＣＳＩを取得する前に、前記第２周波数リソースの周波数帯情報を取得するようにさらに構成される、請求項１から５のいずれか一項に記載のユーザ機器。
【請求項７】
前記処理モジュールは、
予め設定された情報から前記第１周波数リソースの前記周波数帯情報を取得し、又は、前記第２通信デバイスにより送信される通知情報から前記第１周波数リソースの前記周波数帯情報を取得し、及び、
予め設定された情報から前記第２周波数リソースの前記周波数帯情報を取得し、又は、前記第２通信デバイスにより送信される通知情報から前記第２周波数リソースの前記周波数帯情報を取得する
ように構成される、請求項６に記載のユーザ機器。
【請求項８】
前記処理モジュールは、前記第１周波数リソースにおいてチャネル状態測定を定期的に実行して前記第１ＣＳＩを取得し、前記第２周波数リソースにおいてチャネル状態測定を定期的に実行して前記第２ＣＳＩを取得するように構成され、
前記送信モジュールは、前記第１ＣＳＩに関する前記情報及び前記第２ＣＳＩに関する前記情報を前記第２通信デバイスに定期的に報告するように構成される、請求項１から７のいずれか一項に記載のユーザ機器。
【請求項９】
前記第１周波数リソースおよび前記第２周波数リソースはそれぞれ、少なくとも１つのリソースブロックを有し、リソースブロックは前記ユーザ機器によるデータ送信のための最も小さい周波数リソースユニットである、請求項１から８のいずれか一項に記載のユーザ機器。
【請求項１０】
第１キャリアの第１周波数リソースにおいてチャネル状態測定を実行して第１チャネル状態情報（ＣＳＩ）を取得し、前記第１キャリアの第２周波数リソースにおいてチャネル状態測定を実行して第２ＣＳＩを取得するように構成される処理モジュールであって、前記第１周波数リソース及び前記第２周波数リソースは重なっておらず、前記第１周波数リソース内の複数のリソースブロックは連続しており、前記第２周波数リソース内の複数のリソースブロックは連続しており、前記第２周波数リソースは、前記第１キャリアのエッジリソースブロックを含む、処理モジュールと、
前記第１ＣＳＩに関する情報及び前記第２ＣＳＩに関する情報を第２通信デバイスに報告するように構成される送信モジュールと
を備え、
前記処理モジュールは、前記第１ＣＳＩ及び前記第２ＣＳＩに従って前記第１キャリア上の第１干渉情報を決定するようにさらに構成され、
前記送信モジュールは、前記第１干渉情報を前記第２通信デバイスに報告する方式で、前記第１ＣＳＩに関する前記情報及び前記第２ＣＳＩに関する前記情報を前記第２通信デバイスに報告するように構成され、
前記処理モジュールは、前記第１ＣＳＩと前記第２ＣＳＩとの間の差が予め設定された閾値より大きい場合、前記第１キャリアの前記第２周波数リソース上で干渉を受けていると決定し、又は、第２ＣＳＩのＮ個の連続する部分が、前記処理モジュールにより測定された過去の平均的な第２ＣＳＩよりも少ない場合、前記第１キャリアの前記第２周波数リソース上で干渉を受けていると決定するように構成され、Ｎは、予め設定された自然数であり、Ｎ≧２であり、
前記送信モジュールは、具体的には、前記第１キャリアの前記第２周波数リソース上で干渉を受けているか否かに関するインジケーション情報を前記第２通信デバイスに報告するように構成される、ユーザ機器。
【請求項１１】
第１通信デバイスから第１チャネル状態情報（ＣＳＩ）に関する情報及び第２ＣＳＩに関する情報を受信するように構成される受信モジュールであって、前記第１ＣＳＩに関する前記情報は、第１キャリアの第１周波数リソースに対応するチャネル状態情報に関する情報であり、前記第２ＣＳＩに関する前記情報は、前記第１キャリアの第２周波数リソースに対応するチャネル状態情報に関する情報であり、前記第１周波数リソース及び前記第２周波数リソースは重なっておらず、前記第１周波数リソース内の複数のリソースブロックは連続しており、前記第２周波数リソース内の複数のリソースブロックは連続しており、前記第２周波数リソースは、前記第１キャリアのエッジリソースブロックを含む、受信モジュールと、
前記第１ＣＳＩに関する前記情報及び前記第２ＣＳＩに関する前記情報に従って、前記第１通信デバイスに対する前記第１キャリア上の干渉に関する情報を決定するように構成される処理モジュールと
を備え、
前記第１ＣＳＩに関する前記情報は、前記第１ＣＳＩを含み、前記第２ＣＳＩに関する前記情報は、前記第２ＣＳＩを含み、
前記受信モジュールは、前記第１通信デバイスにより報告される前記第１ＣＳＩを受信する方式、及び、前記第１通信デバイスにより報告される前記第２ＣＳＩを受信する方式で、前記第１通信デバイスにより報告される前記第１ＣＳＩに関する前記情報及び前記第２ＣＳＩに関する前記情報を受信するように構成され、
前記処理モジュールは、前記第１ＣＳＩ及び前記第２ＣＳＩに従って、前記第１通信デバイスに対する前記第１キャリア上の干渉に関する前記情報を決定するように構成され、
前記処理モジュールは、前記第１ＣＳＩと前記第２ＣＳＩとの間の差が予め設定された閾値より大きい場合、前記第１通信デバイスが前記第１キャリアの前記第２周波数リソース上で干渉を受けていると決定し、又は、前記受信モジュールにより連続して受信される第２ＣＳＩのＮ個の部分が前記受信モジュールにより受信された過去の平均的な第２ＣＳＩもより少ない場合、前記第１通信デバイスが前記第１キャリアの前記第２周波数リソース上で干渉を受けていると決定するように構成され、Ｎは、予め設定された自然数であり、Ｎ≧２である、ネットワークデバイス。
【請求項１２】
前記第１ＣＳＩに関する前記情報は、前記第１周波数リソースに対応する平均的なチャネル状態情報に関する情報であり、前記第２ＣＳＩに関する前記情報は、前記第２周波数リソースに対応する平均的なチャネル状態情報に関する情報である、請求項１１に記載のネットワークデバイス。
【請求項１３】
前記ネットワークデバイスは、前記第１ＣＳＩに関する情報であって、前記第１通信デバイスにより報告される前記情報を前記受信モジュールが受信する前に、前記第１周波数リソースの周波数帯情報を含む通知メッセージを前記第１通信デバイスに送信し、前記第２ＣＳＩに関する情報であって、前記第１通信デバイスにより報告される前記情報を前記受信モジュールが受信する前に、前記第２周波数リソースの周波数帯情報を含む通知メッセージを前記第１通信デバイスに送信するように構成される送信モジュールをさらに備える、請求項１１または１２に記載のネットワークデバイス。
【請求項１４】
第１通信デバイスにより用いられる第１キャリアを、第２周波数リソースが異なるオペレータまたはシステムから潜在的な隣接チャネル干渉を受ける周波数リソースとなり、かつ、第１周波数リソースが潜在的な隣接チャネル干渉を受けない周波数リソースとなるように、前記第１周波数リソースおよび前記第２周波数リソースへと分割する段階と、
前記第１通信デバイスが、前記第１キャリアの前記第１周波数リソースにおいてチャネル状態測定を実行して第１チャネル状態情報（ＣＳＩ）を取得する段階と、
前記第１通信デバイスが、前記第１キャリアの前記第２周波数リソースにおいてチャネル状態測定を実行して第２ＣＳＩを取得する段階であって、前記第１周波数リソース及び前記第２周波数リソースは重なっておらず、前記第１周波数リソース内の複数のリソースブロックは連続しており、前記第２周波数リソース内の複数のリソースブロックは連続しており、前記第２周波数リソースは、前記第１キャリアのエッジリソースブロックを含み、前記エッジリソースブロックは、前記第１キャリアのエッジにおけるリソースブロックを指す、段階と、
前記第１通信デバイスが、前記第１ＣＳＩに関する情報及び前記第２ＣＳＩに関する情報を第２通信デバイスに報告する段階と
を備えるチャネル品質を報告する方法。
【請求項１５】
前記第１通信デバイスが、前記第１ＣＳＩに関する情報及び前記第２ＣＳＩに関する情報を第２通信デバイスに前記報告する段階の前に、
前記第１通信デバイスが、前記第１ＣＳＩ及び前記第２ＣＳＩに従って前記第１キャリア上の第１干渉情報を決定する段階をさらに備え、
前記第１ＣＳＩに関する情報及び前記第２ＣＳＩに関する情報を前記報告する段階は、
前記第１通信デバイスが、前記第１干渉情報を前記第２通信デバイスに報告する段階を含む、請求項１４に記載の方法。
【請求項１６】
前記第１通信デバイスが、前記第１ＣＳＩ及び前記第２ＣＳＩに従って前記第１キャリア上の第１干渉情報を前記決定する段階は、
前記第１ＣＳＩと前記第２ＣＳＩとの間の差が予め設定された閾値より大きい場合、前記第１キャリアの前記第２周波数リソース上で干渉を受けていると前記第１通信デバイスが決定する段階、又は、第２ＣＳＩのＮ個の連続する部分が過去の平均的な第２ＣＳＩもより少ない場合、前記第１キャリアの前記第２周波数リソース上で干渉を受けていると前記第１通信デバイスが決定する段階であって、Ｎは、予め設定された自然数であり、Ｎ≧２である、段階を含み、
前記第１通信デバイスが、前記第１干渉情報を前記第２通信デバイスに前記報告する段階は、
前記第１通信デバイスが、前記第１キャリアの前記第２周波数リソース上で干渉を受けているか否かに関するインジケーション情報を前記第２通信デバイスに報告する段階を含む、請求項１５に記載の方法。
【請求項１７】
前記第１通信デバイスが、前記第１ＣＳＩ及び前記第２ＣＳＩに従って前記第１キャリア上の第１干渉情報を前記決定する段階は、
前記第１通信デバイスが、前記第１ＣＳＩと前記第２ＣＳＩとの間の差が含まれる差分範囲に従って、前記第１キャリアの前記第２周波数リソースで受けている干渉の程度を決定する段階を含み、
前記第１通信デバイスが、前記第１干渉情報を前記第２通信デバイスに前記報告する段階は、
前記第１通信デバイスが、前記第１キャリアの前記第２周波数リソースで受けている前記干渉の程度を前記第２通信デバイスに報告する段階を含む、請求項１５に記載の方法。
【請求項１８】
前記第１ＣＳＩは、前記第１周波数リソースに対応する平均的なチャネル状態情報であり、前記第２ＣＳＩは、前記第２周波数リソースに対応する平均的なチャネル状態情報である、請求項１４から１７のいずれか一項に記載の方法。
【請求項１９】
第１通信デバイスが、第１キャリアの第１周波数リソースにおいてチャネル状態測定を実行して第１ＣＳＩを前記取得する段階の前に、
前記第１通信デバイスが、前記第１周波数リソースの周波数帯情報を取得する段階をさらに備え、
前記第１通信デバイスが、前記第１キャリアの第２周波数リソースにおいてチャネル状態測定を実行して第２ＣＳＩを前記取得する前に、
前記第１通信デバイスが、前記第２周波数リソースの周波数帯情報を取得する段階をさらに備える、請求項１４から１８のいずれか一項に記載の方法。
【請求項２０】
前記第１通信デバイスが、前記第１周波数リソースの周波数帯情報を前記取得する段階は、
前記第１通信デバイスが、予め設定された情報から前記第１周波数リソースの前記周波数帯情報を取得する段階、又は、前記第１通信デバイスが、前記第２通信デバイスにより送信される通知情報から前記第１周波数リソースの前記周波数帯情報を取得する段階を含み、
前記第１通信デバイスが、前記第２周波数リソースの周波数帯情報を前記取得する段階は、
前記第１通信デバイスが、予め設定された情報から前記第２周波数リソースの前記周波数帯情報を取得する段階、又は、前記第１通信デバイスが、前記第２通信デバイスにより送信される通知情報から前記第２周波数リソースの前記周波数帯情報を取得する段階を含む、請求項１９に記載の方法。
【請求項２１】
第１通信デバイスが、第１キャリアの第１周波数リソースにおいてチャネル状態測定を実行して第１ＣＳＩを前記取得する段階は、
前記第１通信デバイスが、前記第１キャリアの前記第１周波数リソースにおいてチャネル状態測定を定期的に実行して前記第１ＣＳＩを取得する段階を含み、
前記第１通信デバイスが、前記第１キャリアの第２周波数リソースにおいてチャネル状態測定を実行して第２ＣＳＩを前記取得する段階は、
前記第１通信デバイスが、前記第１キャリアの前記第２周波数リソースにおいてチャネル状態測定を定期的に実行して前記第２ＣＳＩを取得する段階を含み、
前記第１通信デバイスが、前記第１ＣＳＩに関する情報及び前記第２ＣＳＩに関する情報を第２通信デバイスに前記報告する段階は、
前記第１通信デバイスが、前記第１ＣＳＩに関する前記情報及び前記第２ＣＳＩに関する前記情報を前記第２通信デバイスに定期的に報告する段階を含む、請求項１４から２０のいずれか一項に記載の方法。
【請求項２２】
第１通信デバイスが、第１キャリアの第１周波数リソースにおいてチャネル状態測定を実行して第１チャネル状態情報（ＣＳＩ）を取得する段階と、
前記第１通信デバイスが、前記第１キャリアの第２周波数リソースにおいてチャネル状態測定を実行して第２ＣＳＩを取得する段階であって、前記第１周波数リソース及び前記第２周波数リソースは重なっておらず、前記第１周波数リソース内の複数のリソースブロックは連続しており、前記第２周波数リソース内の複数のリソースブロックは連続しており、前記第２周波数リソースは、前記第１キャリアのエッジリソースブロックを含む、段階と、
前記第１通信デバイスが、前記第１ＣＳＩに関する情報及び前記第２ＣＳＩに関する情報を第２通信デバイスに報告する段階と
を備え、
前記第１通信デバイスが、前記第１ＣＳＩに関する情報及び前記第２ＣＳＩに関する情報を第２通信デバイスに前記報告する段階の前に、
前記第１通信デバイスが、前記第１ＣＳＩ及び前記第２ＣＳＩに従って前記第１キャリア上の第１干渉情報を決定する段階をさらに備え、
前記第１ＣＳＩに関する情報及び前記第２ＣＳＩに関する情報を前記報告する段階は、
前記第１通信デバイスが、前記第１干渉情報を前記第２通信デバイスに報告する段階を含み、
前記第１通信デバイスが、前記第１ＣＳＩ及び前記第２ＣＳＩに従って前記第１キャリア上の第１干渉情報を前記決定する段階は、
前記第１ＣＳＩと前記第２ＣＳＩとの間の差が予め設定された閾値より大きい場合、前記第１キャリアの前記第２周波数リソース上で干渉を受けていると前記第１通信デバイスが決定する段階、又は、第２ＣＳＩのＮ個の連続する部分が過去の平均的な第２ＣＳＩもより少ない場合、前記第１キャリアの前記第２周波数リソース上で干渉を受けていると前記第１通信デバイスが決定する段階であって、Ｎは、予め設定された自然数であり、Ｎ≧２である、段階を含み、
前記第１通信デバイスが、前記第１干渉情報を前記第２通信デバイスに前記報告する段階は、
前記第１通信デバイスが、前記第１キャリアの前記第２周波数リソース上で干渉を受けているか否かに関するインジケーション情報を前記第２通信デバイスに報告する段階を含む、チャネル品質を報告する方法。
【請求項２３】
第２通信デバイスが、第１通信デバイスから第１チャネル状態情報（ＣＳＩ）に関する情報及び第２ＣＳＩに関する情報を受信する段階であって、前記第１ＣＳＩに関する前記情報は、第１キャリアの第１周波数リソースに対応するチャネル状態情報に関する情報であり、前記第２ＣＳＩに関する前記情報は、前記第１キャリアの第２周波数リソースに対応するチャネル状態情報に関する情報であり、前記第１周波数リソース及び前記第２周波数リソースは重なっておらず、前記第１周波数リソース内の複数のリソースブロックは連続しており、前記第２周波数リソース内の複数のリソースブロックは連続しており、前記第２周波数リソースは、前記第１キャリアのエッジリソースブロックを含む、段階と、
前記第２通信デバイスが、前記第１ＣＳＩに関する前記情報及び前記第２ＣＳＩに関する前記情報に従って、前記第１通信デバイスに対する前記第１キャリア上の干渉に関する情報を決定する段階と
を備え、
前記第１ＣＳＩに関する前記情報は、前記第１ＣＳＩを含み、前記第２ＣＳＩに関する前記情報は、前記第２ＣＳＩを含み、
第２通信デバイスが、第１通信デバイスにより報告される第１チャネル状態情報ＣＳＩに関する情報及び前記第２ＣＳＩに関する情報を前記受信する段階は、
前記第２通信デバイスが、前記第１通信デバイスにより報告される前記第１ＣＳＩを受信する段階と、
前記第２通信デバイスが、前記第１通信デバイスにより報告される前記第２ＣＳＩを受信する段階とを含み、
前記第２通信デバイスが、前記第１ＣＳＩに関する前記情報及び前記第２ＣＳＩに関する前記情報に従って、前記第１通信デバイスに対する前記第１キャリア上の干渉に関する情報を前記決定する段階は、
前記第２通信デバイスが、前記第１ＣＳＩ及び前記第２ＣＳＩに従って、前記第１通信デバイスに対する前記第１キャリア上の干渉に関する前記情報を決定する段階を含み、
前記第２通信デバイスが、前記第１ＣＳＩ及び前記第２ＣＳＩに従って、前記第１通信デバイスに対する前記第１キャリア上の干渉に関する前記情報を前記決定する段階は、
前記第１ＣＳＩと前記第２ＣＳＩとの間の差が予め設定された閾値より大きい場合、前記第２通信デバイスが、前記第１キャリアの前記第２周波数リソース上の干渉を前記第１通信デバイスが受けていると決定する段階、又は、連続して受信される第２ＣＳＩのＮ個の部分が、過去の平均的な第２ＣＳＩもより少ない場合、前記第２通信デバイスが、前記第１キャリアの前記第２周波数リソース上の干渉を前記第１通信デバイスが受けていると決定する段階であって、Ｎは、予め設定された自然数であり、Ｎ≧２である、段階を含む、チャネル品質を受信する方法。
【請求項２４】
前記第１ＣＳＩに関する前記情報は、前記第１周波数リソースに対応する平均的なチャネル状態情報に関する情報であり、前記第２ＣＳＩに関する前記情報は、前記第２周波数リソースに対応する平均的なチャネル状態情報に関する情報である、請求項２３に記載の方法。
【請求項２５】
第１ＣＳＩに関する情報であって、第１通信デバイスにより報告される情報を第２通信デバイスが前記受信する段階の前に、
前記第２通信デバイスが、前記第１周波数リソースの周波数帯情報を含む通知メッセージを前記第１通信デバイスに送信する段階をさらに備え、
第２ＣＳＩに関する情報であって、前記第１通信デバイスにより報告される情報を前記第２通信デバイスが前記受信する段階の前に、
前記第２通信デバイスが、前記第２周波数リソースの周波数帯情報を含む通知メッセージを前記第１通信デバイスに送信する段階をさらに備える、請求項２３または２４に記載の方法。
【請求項２６】
第１ＣＳＩに関する情報であって、第１通信デバイスにより報告される情報を第２通信デバイスが前記受信する段階は、
前記第１ＣＳＩに関する情報であって、前記第１通信デバイスにより定期的に報告される前記情報を前記第２通信デバイスが受信する段階を含み、
第２ＣＳＩに関する情報であって、前記第１通信デバイスにより報告される情報を前記第２通信デバイスが前記受信する段階は、
前記第２ＣＳＩに関する情報であって、前記第１通信デバイスにより定期的に報告される前記情報を前記第２通信デバイスが受信する段階を含む、請求項２３から２５のいずれか一項に記載の方法。
【請求項２７】
コンピュータに、請求項１４から２２のいずれか一項に記載の方法を実行させる、コンピュータプログラム。
【請求項２８】
コンピュータに、請求項２３から２６のいずれか一項に記載の方法を実行させる、コンピュータプログラム。
【発明の詳細な説明】
【技術分野】
【０００１】
本発明の複数の実施形態は、無線通信技術の分野に関し、特に、チャネル品質を報告する方法及び装置に関する。
【背景技術】
【０００２】
無線通信ネットワークにおいて、ユーザ機器（Ｕｓｅｒ  Ｅｑｕｉｐｍｅｎｔ、ＵＥ）は、基地局によりユーザ機器に割り当てられるリソースにおいてデータを送信する。基地局は、ＵＥによる測定手段により取得される受信されるチャネル状態情報（Ｃｈａｎｎｅｌ  Ｓｔａｔｅ  Ｉｎｆｏｒｍａｔｉｏｎ、ＣＳＩ）に従って、ＵＥが干渉を受けている否かを決定し、リソーススケジューリング方法を用いることにより干渉を受けるＵＥに対して別リソースをスケジューリングする。
【０００３】
ＵＥに対する多くのタイプの干渉がある。ＵＥがネットワーク内の他のＵＥのアップリンク信号から干渉を受けている場合、干渉を受けるＵＥは、干渉を引き起こすＵＥが、干渉を受けるＵＥと同じオペレータ及びシステムに属するか、若しくは、干渉を受けるＵＥと同じオペレータ又はシステムに属さないかに関係なく、いくつかの周波数帯又はいくつか時間−周波数リソース上のみで干渉を通常受ける。
【０００４】
現在、主に３つのＣＳＩ測定報告方法がある。
【０００５】
第１方法は、広帯域ＣＳＩ解決法である。すなわち、ＵＥは、全周波数帯の平均的なチャネル状態を報告する。ＵＥが他のＵＥのアップリンク信号から干渉を受けているときに、いくつかの周波数帯又はいくつかの時間−周波数リソースのみのチャネル品質は相対的に悪いが、他周波数帯のチャネル品質は相対的に良好であることが可能である。従って、全周波数帯の平均的なチャネル状態は、干渉を受ける周波数帯又は時間−周波数リソースの実際のチャネル状態を反映できない。
【０００６】
第２方法は最適なＭ個のサブバンドＣＳＩ解決法である。すなわち、ＵＥは、任意のチャネル状態を有するＭ個のサブバンドのチャネル状態を報告する。しかしながら、干渉を受ける周波数帯又は時間−周波数リソースのチャネル品質が相対的に悪いので、任意のチャネル状態を有するＭ個のサブバンドのチャネル状態は、相対的に悪いチャネル品質を有するこれらのサブバンドのチャネル状態を含まない。従って、この解決法では、干渉を受ける周波数帯又は時間−周波数リソースのいずれの実際のチャネル状態も反映できない。
【０００７】
第３方法は、サブバンドＣＳＩ解決法である。すなわち、ＵＥは、全周波数帯の各サブバンドについてのチャネル状態を報告する。この解決法では、干渉を受ける周波数帯又は時間−周波数リソースについての実際のチャネル状態を反映できるが、相対的に多い数のリソースが、全周波数帯の各サブバンドについてのチャネル状態を報告するのに占有される必要があり、基地局が、ＵＥの報告をトリガすべく制御シグナリングを送る必要がある。
【０００８】
結論として、ＵＥが他のＵＥから干渉を受けるか否かをより正確かつ有効に報告する方法は、無線通信ネットワークにおいて緊急に解決されるべきである。
【発明の概要】
【０００９】
本発明の複数の実施形態は、干渉を正確かつ有効に測定してユーザ機器に報告すべく、チャネル品質を報告する方法及び装置を提供する。
【００１０】
第１態様は、ユーザ機器を提供し、ユーザ機器は、
第１キャリアの第１周波数リソースにおいてチャネル状態測定を実行して第１ＣＳＩを取得し、第１キャリアの第２周波数リソースにおいてチャネル状態測定を実行して第２ＣＳＩを取得するように構成される処理モジュールであって、第１ＣＳＩは、第１キャリアの第１周波数リソースに対応するチャネル状態情報であり、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む、処理モジュールと、
第１ＣＳＩに関する情報及び第２ＣＳＩに関する情報を第２通信デバイスに報告するように構成される送信モジュールとを含む。
【００１１】
第１態様に関して、第１態様の第１の可能な実現方式では、第１ＣＳＩに関する情報は、第１ＣＳＩを含み、第２ＣＳＩに関する情報は、第２ＣＳＩを含み、
送信モジュールは、具体的には、第１ＣＳＩを第２通信デバイスに報告する方式、及び、第２ＣＳＩを第２通信デバイスに報告する方式で、第１ＣＳＩに関する情報及び第２ＣＳＩに関する情報を第２通信デバイスに報告するように構成される。
【００１２】
第１態様に関して、第１態様の第２の可能な実現方式では、処理モジュールは、第１ＣＳＩ及び第２ＣＳＩに従って第１キャリアの第１干渉情報を決定するようにさらに構成され、
送信モジュールは、具体的には、第１干渉情報を第２通信デバイスに報告する方式で、第１ＣＳＩに関する情報及び第２ＣＳＩに関する情報を第２通信デバイスに報告するように構成される。
【００１３】
第１態様の第２の可能な実現方式に関して、第１態様の第３の可能な実現方式では、処理モジュールは、具体的には、第１ＣＳＩと第２ＣＳＩとの間の差が予め設定された閾値より大きい場合、第１キャリアの第２周波数リソース上で干渉を受けていると決定し、又は、第２ＣＳＩのＮ個の連続する部分が処理モジュールにより測定された過去の平均的な第２ＣＳＩよりも少ない場合、第１キャリアの第２周波数リソース上で干渉を受けていると決定するように構成され、Ｎは、予め設定された自然数であり、Ｎ≧２であり、
送信モジュールは、具体的には、第１キャリアの第２周波数リソース上で干渉を受けているか否かに関するインジケーション情報を第２通信デバイスに報告するように構成される。
【００１４】
第１態様の第２の可能な実現方式に関して、第１態様の第４の可能な実現方式では、処理モジュールは、具体的には、第１ＣＳＩと第２ＣＳＩとの間の差が含まれる差分範囲に従って、第１キャリアの第２周波数リソースで受けている干渉の程度を決定するように構成され、
送信モジュールは、具体的には、第１キャリアの第２周波数リソースで受けている干渉の程度を第２通信デバイスに報告するように構成される。
【００１５】
第１態様又は第１態様の第１から第４の可能な実現方式のいずれか１つに関して、第１態様の第５の可能な実現方式では、第１ＣＳＩは、第１周波数リソースに対応する平均的なチャネル状態情報であり、第２ＣＳＩは、第２周波数リソースに対応する平均的なチャネル状態情報である。
【００１６】
第１態様又は第１態様の第１から第５の可能な実現方式のいずれか１つに関して、第１態様の第６の可能な実現方式では、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【００１７】
第１態様又は第１態様の第１から第６の可能な実現方式のいずれか１つに関して、第１態様の第７の可能な実現方式では、処理モジュールは、第１キャリアの第１周波数リソースにおいてチャネル状態測定を実行して第１ＣＳＩを取得する前に、第１周波数リソースの周波数帯情報を取得し、第１キャリアの第２周波数リソースにおいてチャネル状態測定を実行して第２ＣＳＩを取得する前に、第２周波数リソースの周波数帯情報を取得するようにさらに構成される。
【００１８】
第１態様の第７の可能な実現方式に関して、第１態様の第８の可能な実現方式では、処理モジュールは、処理モジュールは、具体的には、予め設定された情報から第１周波数リソースの周波数帯情報を取得するか又は第２通信デバイスにより送信される通知情報から第１周波数リソースの周波数帯情報を取得し、及び、予め設定された情報から第２周波数リソースの周波数帯情報を取得するか又は第２通信デバイスにより送信される通知情報から第２周波数リソースの周波数帯情報を取得するように構成される。
【００１９】
第１態様の第７又は第８の可能な実現方式に関して、第１態様の第９の可能な実現方式では、第１周波数リソースの周波数帯情報は、
第１周波数リソースの位置及び／又は帯域幅を示すべく用いられる情報を含み、
第２周波数リソースの周波数帯情報は、
第２周波数リソースの位置及び／又は帯域幅を示すべく用いられる情報を含む。
【００２０】
第１態様又は第１態様の第１から第９の可能な実現方式のいずれか１つに関して、第１態様の第１０の可能な実現方式では、処理モジュールは、具体的には、前記第１周波数リソースにおいてチャネル状態測定を定期的に実行して前記第１ＣＳＩを取得し、前記第２周波数リソースにおいてチャネル状態測定を定期的に実行して前記第２ＣＳＩを取得するように構成され、前記送信モジュールは、具体的には、前記第１ＣＳＩに関する前記情報及び前記第２ＣＳＩに関する前記情報を前記第２通信デバイスに定期的に報告するように構成される。
【００２１】
第１態様又は第１態様の第１から第１０の可能な実現方式のいずれか１つに関して、第１態様の第１１の可能な実現方式では、処理モジュールは、第１キャリアの第３周波数リソースにおいてチャネル状態測定を実行して第３ＣＳＩを取得するようにさらに構成され、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含み、
送信モジュールは、第３ＣＳＩに関する情報を第２通信デバイスに報告するようにさらに構成される。
【００２２】
第１態様の第１１の可能な実現方式に関して、第１態様の第１２の可能な実現方式では、第３ＣＳＩに関する情報は、第３ＣＳＩを含み、
送信モジュールは、具体的には、第３ＣＳＩを第２通信デバイスに報告する方式で、第３ＣＳＩに関する情報を第２通信デバイスに報告するように構成される。
【００２３】
第１態様の第１１の可能な実現方式に関して、第１態様の第１３の可能な実現方式では、処理モジュールは、第１ＣＳＩ及び第３ＣＳＩに従って第１キャリア上の第２干渉情報を決定するようにさらに構成され、
送信モジュールは、具体的に、第２干渉情報を第２通信デバイスに報告する方式で、第３ＣＳＩに関する情報を第２通信デバイスに報告するように構成される。
【００２４】
第１態様の第１３の可能な実現方式に関して、第１態様の第１４の可能な実現方式では、処理モジュールは、具体的には、第１ＣＳＩと第３ＣＳＩとの間の差が予め設定された閾値より大きい場合、第１キャリアの第３周波数リソース上で干渉を受けていると決定し、又は、第３ＣＳＩのＭ個の連続する部分が、処理モジュールにより測定された過去の平均的な第３ＣＳＩよりも少ない場合、第１キャリアの第３周波数リソース上で干渉を受けていると決定するように構成され、Ｍは、予め設定された自然数であり、Ｍ≧２であり、
送信モジュールは、具体的には、第１キャリアの第３周波数リソース上で干渉を受けているか否かに関するインジケーション情報を第２通信デバイスに報告するように構成される。
【００２５】
第１態様の第１３の可能な実現方式に関して、第１態様の第１５の可能な実現方式では、処理モジュールは、具体的には、第１ＣＳＩと第３周波数リソースＣＳＩとの間の差が含まれる差分範囲に従って、第１キャリアの第３周波数リソースで受けている干渉の程度を決定するように構成され、
送信モジュールは、具体的には、第１キャリアの第３ＣＳＩで受けている干渉の程度を第２通信デバイスに報告するように構成される。
【００２６】
第１態様の第１１から第１５の可能な実現方式のいずれか１つに関して、第１態様の第１６の可能な実現方式では、第３ＣＳＩは、第３周波数リソースに対応する平均的なチャネル状態情報である。
【００２７】
第１態様の第１１から第１６の可能な実現方式のいずれか１つに関して、第１態様の第１７の可能な実現方式では、第３周波数リソースは、第１キャリアの周波数リソースであって、潜在的な干渉を受ける周波数リソースである。
【００２８】
第１態様の第１１から第１７の可能な実現方式のいずれか１つに関して、第１態様の第１８の可能な実現方式では、処理モジュールは、第１キャリアの第３周波数リソースにおいてチャネル状態測定を実行して第３ＣＳＩを取得する前に、第３周波数リソースの周波数帯情報を取得するようにさらに構成される。
【００２９】
第１態様の第１８の可能な実現方式に関して、第１態様の第１９の可能な実現方式では、処理モジュールは、具体的には、予め設定された情報から第３周波数リソースの周波数帯情報を取得し、又は、第２通信デバイスにより送信される通知情報から第３周波数リソースの周波数帯情報を取得するように構成される。
【００３０】
第１態様の第１８又は第１９の可能な実現方式に関して、第１態様の第２０の可能な実現方式では、第３周波数リソースの周波数帯情報は、
第３周波数リソースの位置及び／又は帯域幅を示すべく用いられる情報を含む。
【００３１】
第１態様の第１１から第２０の可能な実現方式のいずれか１つに関して、第１態様の第２１の可能な実現方式では、処理モジュールは、具体的には、第３周波数リソースにおいてチャネル状態測定を定期的に実行して第３ＣＳＩを取得するように構成され、
送信モジュールは、具体的には、第３ＣＳＩに関する情報を第２通信デバイスに定期的に報告するように構成される。
【００３２】
第２態様は、ネットワークデバイスを提供し、ネットワークデバイスは、
第１通信デバイスにより報告される第１ＣＳＩに関する情報及び第２ＣＳＩに関する情報を受信するように構成される受信モジュールであって、第１ＣＳＩに関する情報は、第１キャリアの第１周波数リソースに対応するチャネル状態情報に関する情報であり、第２ＣＳＩに関する情報は、第１キャリアの第２周波数リソースに対応するチャネル状態情報に関する情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む、受信モジュールと、
第１ＣＳＩに関する情報及び第２ＣＳＩに関する情報に従って、第１通信デバイスに対する第１キャリア上の干渉に関する情報を決定するように構成される処理モジュールとを含む。
【００３３】
第２態様に関して、第２態様の第１の可能な実現方式では、第１ＣＳＩに関する情報は、第１ＣＳＩを含み、第２ＣＳＩに関する情報は、第２ＣＳＩを含み、
受信モジュールは、具体的には、第１通信デバイスにより報告される第１ＣＳＩを受信する方式、及び、第１通信デバイスにより報告される第２ＣＳＩを受信する方式で、第１通信デバイスにより報告される第１ＣＳＩに関する情報及び第２ＣＳＩに関する情報を受信するように構成され、
処理モジュールは、具体的には、第１ＣＳＩ及び第２ＣＳＩに従って、第１通信デバイスに対する第１キャリア上の干渉に関する情報を決定するように構成される。
【００３４】
第２態様の第１の可能な実現方式に関して、第２態様の第２の可能な実現方式では、処理モジュールは、具体的には、第１ＣＳＩと第２ＣＳＩとの間の差が予め設定された閾値より大きい場合、第１通信デバイスが第１キャリアの第２周波数リソース上で干渉を受けていると決定し、又は、受信モジュールにより連続して受信される第２ＣＳＩのＮ個の部分が、受信モジュールにより受信された過去の平均的な第２ＣＳＩもより少ない場合、第１通信デバイスが第１キャリアの第２周波数リソース上で干渉を受けていると決定するように構成され、Ｎは、予め設定された自然数であり、Ｎ≧２である。
【００３５】
第２態様に関して、第２態様の第３の可能な実現方式では、受信モジュールは、具体的には、第１通信デバイスにより報告される第１干渉情報を受信する方式で、第１通信デバイスにより報告される第１ＣＳＩに関する情報及び第２ＣＳＩに関する情報を受信するように構成され、第１干渉情報は、第１周波数リソースに対応する第１ＣＳＩ及び第２周波数リソースに対応する第２ＣＳＩに従って第１通信デバイスにより決定され、
処理モジュールは、具体的には、第１干渉情報に従って、第１通信デバイスに対する第１キャリア上の干渉に関する情報を決定するように構成される。
【００３６】
第２態様又は第２態様の第１から第３の可能な実現方式のいずれか１つに関して、第２態様の第４の可能な実現方式では、第１ＣＳＩに関する情報は、第１周波数リソースに対応する平均的なチャネル状態情報に関する情報であり、第２ＣＳＩに関する情報は、第２周波数リソースに対応する平均的なチャネル状態情報に関する情報である。
【００３７】
第２態様又は第２態様の第１から第４の可能な実現方式のいずれか１つに関して、第２態様の第５の可能な実現方式では、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【００３８】
第２態様又は第２態様の第１から第５の可能な実現方式のいずれか１つに関して、第２態様の第６の可能な実現方式では、装置は、第１ＣＳＩに関する情報であって、第１通信デバイスにより報告される情報を受信モジュールが受信する前に、第１周波数リソースの周波数帯情報を含む通知メッセージを第１通信デバイスに送信し、第２ＣＳＩに関する情報であって、第１通信デバイスにより報告される情報を受信モジュールが受信する前に、第２周波数リソースの周波数帯情報を含む通知メッセージを第１通信デバイスに送信するように構成される送信モジュールをさらに含む。
【００３９】
第２態様の第６の可能な実現方式に関して、第２態様の第７の可能な実現方式では、第１周波数リソースの周波数帯情報は、第１周波数リソースの位置及び／又は帯域幅を示すべく用いられる情報を含み、
第２周波数リソースの周波数帯情報は、
第２周波数リソースの位置及び／又は帯域幅を示すべく用いられる情報を含む。
【００４０】
第２態様又は第２態様の第１から第７の可能な実現方式のいずれか１つに関して、第２態様の第８の可能な実現方式では、受信モジュールは、具体的には、第１ＣＳＩに関する情報であって、第１通信デバイスにより定期的に報告される情報を受信し、第２ＣＳＩに関する情報であって、第１通信デバイスにより定期的に報告される情報を受信するように構成される。
【００４１】
第２態様又は第２態様の第１から第８の可能な実現方式のいずれか１つに関して、第２態様の第９の可能な実現方式では、受信モジュールは、第３ＣＳＩに関する情報であって、第１通信デバイスにより報告される情報を受信するようにさらに構成され、第３ＣＳＩに関する情報は、第１キャリアの第３周波数リソースに対応するチャネル状態情報に関する情報であり、第１周波数リソース、第２周波数リソース及び第３周波数リソースは、互いに重なっておらず、第３周波数リソースは、少なくとも第１キャリアのエッジリソースブロックを含み、
処理モジュールは、第１ＣＳＩに関する情報及び第３ＣＳＩに関する情報に従って、第１通信デバイスに対する第１キャリア上の干渉に関する情報を決定するようにさらに構成される。
【００４２】
第２態様の第９の可能な実現方式に関して、第２態様の第１０の可能な実現方式では、第３ＣＳＩに関する情報は第３ＣＳＩを含み、
受信モジュールは、具体的には、第１通信デバイスにより報告される第３ＣＳＩを受信する方式で、第３ＣＳＩに関する情報であって、第１通信デバイスにより報告される情報を受信するように構成され、
処理モジュールは、具体的には、第１ＣＳＩ及び第３ＣＳＩに従って、第１通信デバイスに対する第１キャリア上の干渉に関する情報を決定するように構成される。
【００４３】
第２態様の第１０の可能な実現方式に関して、第２態様の第１１の可能な実現方式では、処理モジュールは、具体的には、第１ＣＳＩと第３ＣＳＩとの間の差が予め設定された閾値より大きい場合、第１通信デバイスが第１キャリアの第３周波数リソース上で干渉を受けていると決定し、又は、受信モジュールにより連続して受信される第３ＣＳＩのＭ個の部分が、受信モジュールにより受信された過去の平均的な第３ＣＳＩよりも少ない場合、第１通信デバイスが、第１キャリアの第３周波数リソース上で干渉を受けていると決定するように構成され、Ｍは、予め設定された自然数であり、Ｍ≧２である。
【００４４】
第２態様の第９の可能な実現方式に関して、第２態様の第１２の可能な実現方式では、受信モジュールは、具体的には、第１通信デバイスにより報告される第２干渉情報を受信する方式で、第３ＣＳＩに関する情報であって、第１通信デバイスにより報告される情報を受信するように構成され、第２干渉情報は、第１周波数リソースに対応する第１ＣＳＩ及び第３周波数リソースに対応する第３ＣＳＩに従って第１通信デバイスにより決定され、
処理モジュールは、具体的には、第２干渉情報に従って、第１通信デバイスに対する第１キャリア上の干渉に関する情報を決定するように構成される。
【００４５】
第２態様の第９から第１２の可能な実現方式のいずれか１つに関して、第２態様の第１３の可能な実現方式では、第３ＣＳＩに関する情報は、第３周波数リソースに対応する平均的なチャネル状態情報に関する情報である。
【００４６】
第２態様の第９から第１３の可能な実現方式のいずれか１つに関して、第２態様の第１４の可能な実現方式では、第３周波数リソースは、第１キャリアに関する周波数リソースであって、潜在的な干渉を受ける周波数リソースである。
【００４７】
第２態様の第９から第１４の可能な実現方式のいずれか１つに関して、第２態様の第１５の可能な実現方式では、送信モジュールは、第３ＣＳＩに関する情報であって、第１通信デバイスにより報告される情報を受信モジュールが受信する前に、第３周波数リソースの周波数帯情報を含む通知メッセージを第１通信デバイスに送信するようにさらに構成される。
【００４８】
第２態様の第１５の可能な実現方式に関して、第２態様の第１６の可能な実現方式では、第３周波数リソースの周波数帯情報は、
第３周波数リソースの位置及び／又は帯域幅を示すべく用いられる情報を含む。
【００４９】
第２態様の第９から第１６の可能な実現方式のいずれか１つに関して、第２態様の第１７の可能な実現方式では、受信モジュールは、具体的には、第３ＣＳＩに関する情報であって、第１通信デバイスにより定期的に報告される情報を受信するように構成される。
【００５０】
第３態様は、ユーザ機器を提供し、ユーザ機器は、
第１キャリアにおいてチャネル状態測定を実行して第１キャリアの各サブバンド又は各スケジューリングユニットについてのチャネル状態情報ＣＳＩを取得し、各サブバンド又は各スケジューリングユニットについてのＣＳＩに従って、第１キャリア上の干渉に関する情報を決定するように構成される処理モジュールと、
干渉情報を第２通信デバイスに報告するように構成される送信モジュールと
を含み、
スケジューリングユニットは、第１通信デバイスが配置される無線通信システムにおいてスケジューリングされる最も小さい時間−周波数リソースユニットである。
【００５１】
第３態様に関して、第３態様の第１の可能な実現方式では、処理モジュールは、具体的には、第１サブバンドについてのＣＳＩのＮ個の連続する部分が第１サブバンドについての過去の平均的なＣＳＩよりも少ない場合、第１サブバンド上で干渉を受けていると決定し、又は、第１スケジューリングユニットについてのＣＳＩのＮ個の連続する部分が第１スケジューリングユニットについての過去の平均的なＣＳＩよりも少ない場合、第１スケジューリングユニット上で干渉を受けていると決定するように構成され、
送信モジュールは、具体的には、第１サブバンド上で干渉を受けていると処理モジュールが決定した場合、第１サブバンド上で受けている干渉に関する情報を第２通信デバイスに報告し、又は、第１スケジューリングユニット上で干渉を受けていると処理モジュールが決定した場合、第１スケジューリングユニット上で受けている干渉に関する情報を第２通信デバイスに報告するように構成される。
【００５２】
第４態様は、ネットワークデバイスを提供し、ネットワークデバイスは、
第１通信デバイスにより報告される、第１通信デバイスに対する第１キャリア上の干渉に関する情報を受信するように構成される受信モジュールであって、干渉情報は、各サブバンド又は各スケジューリングユニットについてのチャネル状態情報ＣＳＩに従って、第１通信デバイスにより決定される、受信モジュールと、
干渉情報に従って、第１通信デバイスに対する第１キャリア上の干渉に関する情報を決定するように構成される処理モジュールとを含む。
【００５３】
第５態様は、チャネル品質を報告する方法を提供し、方法は、
第１通信デバイスが、第１キャリアの第１周波数リソースにおいてチャネル状態測定を実行して第１ＣＳＩを取得する段階であって、第１ＣＳＩは、第１キャリアの第１周波数リソースに対応するチャネル状態情報である、段階と、
第１通信デバイスが、第１キャリアの第２周波数リソースにおいてチャネル状態測定を実行して第２ＣＳＩを取得する段階であって、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む、段階と、
第１通信デバイスが、第１ＣＳＩに関する情報及び第２ＣＳＩに関する情報を第２通信デバイスに報告する段階とを含む。
【００５４】
第５態様に関して、第５態様の第１の可能な実現方式では、第１ＣＳＩに関する情報は、第１ＣＳＩを含み、第２ＣＳＩに関する情報は、第２ＣＳＩを含み、
第１通信デバイスが、第１ＣＳＩに関する情報及び第２ＣＳＩに関する情報を第２通信デバイスに報告する段階は、
第１通信デバイスが、第１ＣＳＩを第２通信デバイスに報告する段階と、
第１通信デバイスが、第２ＣＳＩを第２通信デバイスに報告する段階とを含む。
【００５５】
第５態様に関して、第５態様の第２の可能な実現方式では、第１通信デバイスが、第１ＣＳＩに関する情報及び第２ＣＳＩに関する情報を第２通信デバイスに報告する段階の前に、方法は、
第１通信デバイスが、第１ＣＳＩ及び第２ＣＳＩに従って第１キャリア上の第１干渉情報を決定する段階をさらに含み、
第１通信デバイスが、第１ＣＳＩに関する情報及び第２ＣＳＩに関する情報を第２通信デバイスに報告する段階は、
第１通信デバイスが、第１干渉情報を第２通信デバイスに報告する段階を含む。
【００５６】
第５態様の第２の可能な実現方式に関して、第５態様の第３の可能な実現方式では、第１通信デバイスが、第１ＣＳＩ及び第２ＣＳＩに従って第１キャリア上の第１干渉情報を決定する段階は、
第１ＣＳＩと第２ＣＳＩとの間の差が予め設定された閾値より大きい場合、第１キャリアの第２周波数リソース上で干渉を受けていると第１通信デバイスが決定する段階、又は、第２ＣＳＩのＮ個の連続する部分が過去の平均的な第２ＣＳＩもより少ない場合、第１キャリアの第２周波数リソース上で干渉を受けていると第１通信デバイスが決定する段階であって、Ｎは、予め設定された自然数であり、Ｎ≧２である、段階を含み、
第１通信デバイスが、第１干渉情報を第２通信デバイスに報告する段階は、
第１通信デバイスが、第１キャリアの第２周波数リソース上で干渉を受けているか否かに関するインジケーション情報を第２通信デバイスに報告する段階を含む。
【００５７】
第５態様の第２の可能な実現方式に関して、第５態様の第４の可能な実現方式では、第１通信デバイスが、第１ＣＳＩ及び第２ＣＳＩに従って第１キャリア上の第１干渉情報を決定する段階は、
第１通信デバイスが、第１ＣＳＩと第２ＣＳＩとの間の差が含まれる差分範囲に従って、第１キャリアの第２周波数リソースで受けている干渉の程度を決定する段階を含み、
第１通信デバイスが、第１干渉情報を第２通信デバイスに報告する段階は、
第１通信デバイスが、第１キャリアの第２周波数リソースで受けている干渉の程度を第２通信デバイスに報告する段階を含む。
【００５８】
第５態様又は第５態様の第１から第４の可能な実現方式のいずれか１つに関して、第５態様の第５の可能な実現方式では、第１ＣＳＩは、第１周波数リソースに対応する平均的なチャネル状態情報であり、第２ＣＳＩは、第２周波数リソースに対応する平均的なチャネル状態情報である。
【００５９】
第５態様又は第５態様の第１から第５の可能な実現方式のいずれか１つに関して、第５態様の第６の可能な実現方式では、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【００６０】
第５態様又は第５態様の第１から第６の可能な実現方式のいずれか１つに関して第５態様の第７の可能な実現方式では、第１通信デバイスが、第１キャリアの第１周波数リソースにおいてチャネル状態測定を実行して第１ＣＳＩを取得する段階の前に、方法は、
第１通信デバイスが、第１周波数リソースの周波数帯情報を取得する段階をさらに含み、
第１通信デバイスが、第１キャリアの第２周波数リソースにおいてチャネル状態測定を実行して第２ＣＳＩを取得する前に、方法は、
第１通信デバイスが、第２周波数リソースの周波数帯情報を取得する段階をさらに含む。
【００６１】
第５態様の第７の可能な実現方式に関して、第５態様の第８の可能な実現方式では、第１通信デバイスが、第１周波数リソースの周波数帯情報を取得する段階は、
第１通信デバイスが、予め設定された情報から第１周波数リソースの周波数帯情報を取得する段階、又は、第１通信デバイスが、第２通信デバイスにより送信される通知情報から第１周波数リソースの周波数帯情報を取得する段階を含み、
第１通信デバイスが、第２周波数リソースの周波数帯情報を取得する段階は、
第１通信デバイスが、予め設定された情報から第２周波数リソースの周波数帯情報を取得する段階、又は、第１通信デバイスが、第２通信デバイスにより送信される通知情報から第２周波数リソースの周波数帯情報を取得する段階を含む。
【００６２】
第５態様の第７又は第８の可能な実現方式に関して、第５態様の第９の可能な実現方式では、第１周波数リソースの周波数帯情報は、
第１周波数リソースの位置及び／又は帯域幅を示すべく用いられる情報を含み、
第２周波数リソースの周波数帯情報は、
第２周波数リソースの位置及び／又は帯域幅を示すべく用いられる情報を含む。
【００６３】
第５態様又は第５態様の第１から第９の可能な実現方式のいずれか１つに関して、第５態様の第１０の可能な実現方式では、第１通信デバイスが、第１キャリアの第１周波数リソースにおいてチャネル状態測定を実行して第１ＣＳＩを取得する段階は、
第１通信デバイスが、第１キャリアの第１周波数リソースにおいてチャネル状態測定を定期的に実行して第１ＣＳＩを取得する段階を含み、
第１通信デバイスが、第１キャリアの第２周波数リソースにおいてチャネル状態測定を実行して第２ＣＳＩを取得する段階は、
第１通信デバイスが、第１キャリアの第２周波数リソースにおいてチャネル状態測定を定期的に実行して第２ＣＳＩを取得する段階を含み、
第１通信デバイスが、第１ＣＳＩに関する情報及び第２ＣＳＩに関する情報を第２通信デバイスに報告する段階は、
第１通信デバイスが、第１ＣＳＩに関する情報及び第２ＣＳＩに関する情報を第２通信デバイスに定期的に報告する段階を含む。
【００６４】
第５態様又は第５態様の第１から第１０の可能な実現方式のいずれか１つに関して、第５態様の第１１の可能な実現方式では、方法は、第１通信デバイスが、第１キャリアの第３周波数リソースにおいてチャネル状態測定を実行して第３ＣＳＩを取得する段階であって、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含む、段階と、
第１通信デバイスが、第３ＣＳＩに関する情報を第２通信デバイスに報告する段階とをさらに含む。
【００６５】
第５態様の第１１の可能な実現方式に関して、第５態様の第１２の可能な実現方式では、第３ＣＳＩに関する情報は第３ＣＳＩを含み、
第１通信デバイスが、第３ＣＳＩに関する情報を第２通信デバイスに報告する段階は、
第１通信デバイスが、第３ＣＳＩを第２通信デバイスに報告する段階を含む。
【００６６】
第５態様の第１１の可能な実現方式に関して、第５態様の第１３の可能な実現方式では、第１通信デバイスが、第３ＣＳＩに関する情報を第２通信デバイスに報告する段階の前に、方法は、
第１通信デバイスが、第１ＣＳＩ及び第３ＣＳＩに従って第１キャリア上の第２干渉情報を決定する段階をさらに含み、
第１通信デバイスが、第３ＣＳＩに関する情報を第２通信デバイスに報告する段階は、
第１通信デバイスが、第２干渉情報を第２通信デバイスに報告する段階を含む。
【００６７】
第５態様の第１３の可能な実現方式に関して、第５態様の第１４の可能な実現方式では、第１通信デバイスが、第１ＣＳＩ及び第３ＣＳＩに従って第１キャリア上の第２干渉情報を決定する段階は、
第１ＣＳＩと第３ＣＳＩとの間の差が予め設定された閾値より大きい場合、第１キャリアの第３周波数リソース上で干渉を受けていると第１通信デバイスが決定する段階、又は、第３ＣＳＩのＭ個の連続する部分が過去の平均的な第３ＣＳＩよりも少ない場合、第１キャリアの第３周波数リソース上で干渉を受けていると第１通信デバイスが決定する段階であって、Ｍは、予め設定された自然数であり、Ｍ≧２である、段階を含み、
第１通信デバイスが、第２干渉情報を第２通信デバイスに報告する段階は、
第１通信デバイスが、第１キャリアの第３周波数リソース上で干渉を受けているか否かに関するインジケーション情報を第２通信デバイスに報告する段階を含む。
【００６８】
第５態様の第１３の可能な実現方式に関して、第５態様の第１５の可能な実現方式では、第１通信デバイスが、第１ＣＳＩ及び第３ＣＳＩに従って第１キャリア上の第２干渉情報を決定する段階は、
第１通信デバイスが、第１ＣＳＩと第３ＣＳＩとの間の差が含まれる差分範囲に従って、第１キャリアの第３周波数リソース上で受けている干渉の程度を決定する段階を含み、
第１通信デバイスが、第２干渉情報を第２通信デバイスに報告する段階は、
第１通信デバイスが、第１キャリアの第３周波数リソース上で受けている干渉の程度を第２通信デバイスに報告する段階を含む。
【００６９】
第５態様の第１１から第１５の可能な実現方式のいずれか１つに関して、第５態様の第１６の可能な実現方式では、第３ＣＳＩに関する情報は、第３周波数リソースに対応する平均的なチャネル状態情報に関する情報である。
【００７０】
第５態様の第１１から第１６の可能な実現方式のいずれか１つに関して、第５態様の第１７の可能な実現方式では、第３周波数リソースは、第１キャリアの周波数リソースであって、潜在的な干渉を受ける周波数リソースである。
【００７１】
第５態様の第１１から第１７の可能な実現方式のいずれか１つに関して、第５態様の第１８の可能な実現方式では、第１通信デバイスが、第１キャリアの第３周波数リソースにおいてチャネル状態測定を実行して第３ＣＳＩを取得する段階の前に、方法は、
第１通信デバイスが、第３周波数リソースの周波数帯情報を取得する段階をさらに含む。
【００７２】
第５態様の第１８の可能な実現方式に関して、第５態様の第１９の可能な実現方式では、第１通信デバイスが、第３周波数リソースの周波数帯情報を取得する段階は、
第１通信デバイスが、予め設定された情報から第３周波数リソースの周波数帯情報を取得する段階、又は、第１通信デバイスが、第２通信デバイスにより送信される通知情報から第３周波数リソースの周波数帯情報を取得する段階を含む。
【００７３】
第５態様の第１８又は第１９の可能な実現方式に関して、第５態様の第２０の可能な実現方式では、第３周波数リソースの周波数帯情報は、
第３周波数リソースの位置及び／又は帯域幅を示すべく用いられる情報を含む。
【００７４】
第５態様の第１１から第２０の可能な実現方式のいずれか１つに関して、第５態様の第２１の可能な実現方式では、第１通信デバイスが、第１キャリアの第３周波数リソースにおいてチャネル状態測定を実行して第３ＣＳＩを取得する段階は、
第１通信デバイスが、第１キャリアの第３周波数リソースにおいてチャネル状態測定を定期的に実行して第３ＣＳＩを取得する段階を含み、
第１通信デバイスが、第３ＣＳＩに関する情報を第２通信デバイスに報告する段階は、
第１通信デバイスが、第３ＣＳＩに関する情報を第２通信デバイスに定期的に報告する段階を含む。
【００７５】
第６態様は、チャネル品質を報告する方法を提供し、方法は、
第２通信デバイスが、第１通信デバイスにより報告される第１ＣＳＩに関する情報及び第２ＣＳＩに関する情報を受信する段階であって、第１ＣＳＩに関する情報は、第１キャリアの第１周波数リソースに対応するチャネル状態情報に関する情報であり、第２ＣＳＩに関する情報は、第１キャリアの第２周波数リソースに対応するチャネル状態情報に関する情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む、段階と、
第２通信デバイスが、第１ＣＳＩに関する情報及び第２ＣＳＩに関する情報に従って、第１通信デバイスに対する第１キャリア上の干渉に関する情報を決定する段階とを含む。
【００７６】
第６態様に関して、第６態様の第１の可能な実現方式では、第１ＣＳＩに関する情報は、第１ＣＳＩを含み、第２ＣＳＩに関する情報は、第２ＣＳＩを含み、
第２通信デバイスが、第１通信デバイスにより報告される第１チャネル状態情報ＣＳＩに関する情報及び第２ＣＳＩに関する情報を受信する段階は、
第２通信デバイスが、第１通信デバイスにより報告される第１ＣＳＩを受信する段階と、
第２通信デバイスが、第１通信デバイスにより報告される第２ＣＳＩを受信する段階とを含み、
第２通信デバイスが、第１ＣＳＩに関する情報及び第２ＣＳＩに関する情報に従って、第１通信デバイスに対する第１キャリア上の干渉に関する情報を決定する段階は、
第２通信デバイスが、第１ＣＳＩ及び第２ＣＳＩに従って、第１通信デバイスに対する第１キャリア上の干渉に関する情報を決定する段階を含む。
【００７７】
第６態様の第１の可能な実現方式に関して、第６態様の第２の可能な実現方式では、第２通信デバイスが、第１ＣＳＩ及び第２ＣＳＩに従って、第１通信デバイスに対する第１キャリア上の干渉に関する情報を決定する段階は、
第１ＣＳＩと第２ＣＳＩとの間の差が予め設定された閾値より大きい場合、第２通信デバイスが、第１キャリアの第２周波数リソース上の干渉を第１通信デバイスが受けていると決定する段階、又は、連続して受信される第２ＣＳＩのＮ個の部分が過去の平均的な第２ＣＳＩもより少ない場合、第２通信デバイスが、第１キャリアの第２周波数リソース上の干渉を第１通信デバイスが受けていると決定する段階であって、Ｎは、予め設定された自然数であり、Ｎ≧２である、段階を含む。
【００７８】
第６態様に関して、第６態様の第３の可能な実現方式では、第２通信デバイスが、第１通信デバイスにより報告される第１チャネル状態情報ＣＳＩに関する情報及び第２ＣＳＩに関する情報を受信する段階は、
第２通信デバイスが、第１通信デバイスにより報告される第１干渉情報を受信する段階であって、第１干渉情報は、第１周波数リソースに対応する第１ＣＳＩ及び第２周波数リソースに対応する第２ＣＳＩに従って、第１通信デバイスにより決定される、段階を含み、
第２通信デバイスが、第１ＣＳＩに関する情報及び第２ＣＳＩに関する情報に従って、第１通信デバイスに対する第１キャリア上の干渉に関する情報を決定する段階は、
第２通信デバイスが、第１干渉情報に従って、第１通信デバイスに対する第１キャリア上の干渉に関する情報を決定する段階を含む。
【００７９】
第６態様又は第６態様の第１から第３の可能な実現方式のいずれか１つに関して、第６態様の第４の可能な実現方式では、第１ＣＳＩに関する情報は、第１周波数リソースに対応する平均的なチャネル状態情報に関する情報であり、第２ＣＳＩに関する情報は、第２周波数リソースに対応する平均的なチャネル状態情報に関する情報である。
【００８０】
第６態様又は第６態様の第１から第４の可能な実現方式のいずれか１つに関して、第６態様の第５の可能な実現方式では、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【００８１】
第６態様又は第６態様の第１から第５の可能な実現方式のいずれか１つに関して、第６態様の第６の可能な実現方式では、第１ＣＳＩに関する情報であって、第１通信デバイスにより報告される情報を第２通信デバイスが受信する段階の前に、方法は、
第２通信デバイスが、第１周波数リソースの周波数帯情報を含む通知メッセージを第１通信デバイスに送信する段階をさらに含み、
第２ＣＳＩに関する情報であって、第１通信デバイスにより報告される情報を第２通信デバイスが受信する段階の前に、方法は、
第２通信デバイスが、第２周波数リソースの周波数帯情報を含む通知メッセージを第１通信デバイスに送信する段階をさらに含む。
【００８２】
第６態様の第６の可能な実現方式に関して、第６態様の第７の可能な実現方式では、第１周波数リソースの周波数帯情報は、
第１周波数リソースの位置及び／又は帯域幅を示すべく用いられる情報を含み、
第２周波数リソースの周波数帯情報は、
第２周波数リソースの位置及び／又は帯域幅を示すべく用いられる情報を含む。
【００８３】
第６態様又は第６態様の第１から第７の可能な実現方式のいずれか１つに関して、第６態様の第８の可能な実現方式では、第１ＣＳＩに関する情報であって、第１通信デバイスにより報告される情報を第２通信デバイスが受信する段階は、
第１ＣＳＩに関する情報であって、第１通信デバイスにより定期的に報告される情報を第２通信デバイスが受信する段階を含み、
第２ＣＳＩに関する情報であって、第１通信デバイスにより報告される情報を第２通信デバイスが受信する段階は、
第２ＣＳＩに関する情報であって、第１通信デバイスにより定期的に報告される情報を第２通信デバイスが受信する段階を含む。
【００８４】
第６態様又は第６態様の第１から第８の可能な実現方式のいずれか１つに関して、第６態様の第９の可能な実現方式では、方法は、
第３ＣＳＩに関するのであり、かつ、前記第１通信デバイスにより報告される情報を前記第２通信デバイスが受信する段階であって、前記第３ＣＳＩに関する前記情報は、前記第１キャリアの第３周波数リソースに対応するチャネル状態情報に関する情報であり、前記第１周波数リソース、前記第２周波数リソース及び前記第３周波数リソースは、互いに重なっておらず、前記第３周波数リソースは、少なくとも前記第１キャリアのエッジリソースブロックを含む、段階と、
前記第２通信デバイスが、前記第１ＣＳＩに関する前記情報及び前記第３ＣＳＩに関する前記情報に従って、前記第１通信デバイスに対する前記第１キャリア上の干渉に関する前記情報を決定する段階とをさらに含む。
【００８５】
第６態様の第９の可能な実現方式に関して、第６態様の第１０の可能な実現方式では、第３ＣＳＩに関する情報は、第３ＣＳＩを含み、
第３ＣＳＩに関する情報であって、第１通信デバイスにより報告される情報を第２通信デバイスが受信する段階は、
第２通信デバイスが、第１通信デバイスにより報告される第３ＣＳＩを受信する段階を含み、
第２通信デバイスが、第１ＣＳＩに関する情報及び第３ＣＳＩに関する情報に従って、第１通信デバイスに対する第１キャリア上の干渉に関する情報を決定する段階は、
第２通信デバイスが、第１ＣＳＩ及び第３ＣＳＩに従って、第１通信デバイスに対する第１キャリア上の干渉に関する情報を決定する段階を含む。
【００８６】
第６態様の第１０の可能な実現方式に関して、第６態様の第１１の可能な実現方式では、第２通信デバイスが、第１ＣＳＩ及び第３ＣＳＩに従って、第１通信デバイスに対する第１キャリア上の干渉に関する情報を決定する段階は、
第１ＣＳＩと第３ＣＳＩとの間の差が予め設定された閾値より大きい場合、第２通信デバイスが、第１キャリアの第３周波数リソース上の干渉を第１通信デバイスが受けていると決定する段階、又は、連続的に受信される第３ＣＳＩのＭ個の部分が、過去の平均的な第３ＣＳＩよりも少ない場合、第２通信デバイスが、第１キャリアの第３周波数リソース上の干渉を第１通信デバイスが受けていると決定する段階であって、Ｍは、予め設定された自然数であり、Ｍ≧２である、段階を含む。
【００８７】
第６態様の第９の可能な実現方式に関して、第６態様の第１２の可能な実現方式では、第３ＣＳＩに関する情報であって、第１通信デバイスにより報告される情報を第２通信デバイスが受信する段階は、
第２通信デバイスが、第１通信デバイスにより報告される第２干渉情報を受信する段階であって、第２干渉情報は、第１周波数リソースに対応する第１ＣＳＩ及び第３周波数リソースに対応する第３ＣＳＩに従って、第１通信デバイスにより決定される、段階と、
第２通信デバイスが、第１ＣＳＩに関する情報及び第３ＣＳＩに関する情報に従って、第１通信デバイスに対する第１キャリア上の干渉に関する情報を決定する段階は、
第２通信デバイスが、第２干渉情報に従って、第１通信デバイスに対する第１キャリア上の干渉に関する情報を決定する段階を含む。
【００８８】
第６態様の第９から第１２の可能な実現方式のいずれか１つに関して、第６態様の第１３の可能な実現方式では、第３ＣＳＩに関する情報は、第３周波数リソースに対応する平均的なチャネル状態情報に関する情報である。
【００８９】
第６態様の第９から第１３の可能な実現方式のいずれか１つに関して、第６態様の第１４の可能な実現方式では、第３周波数リソースは、第１キャリアの周波数リソースであって、潜在的な干渉を受ける周波数リソースである。
【００９０】
第６態様の第９から第１４の可能な実現方式のいずれか１つに関して、第６態様の第１５の可能な実現方式では、第３ＣＳＩに関する情報であって、第１通信デバイスにより報告される情報を第２通信デバイスが受信する段階の前に、方法は、
第２通信デバイスが、第３周波数リソースの周波数帯情報を含む通知メッセージを第１通信デバイスに送信する段階をさらに含む。
【００９１】
第６態様の第１５の可能な実現方式に関して、第６態様の第１６の可能な実現方式では、第３周波数リソースの周波数帯情報は、
第３周波数リソースの位置及び／又は帯域幅を示すべく用いられる情報を含む。
【００９２】
第６態様の第９から第１６の可能な実現方式のいずれか１つに関して、第６態様の第１７の可能な実現方式では、第３ＣＳＩに関する情報であって、第１通信デバイスにより報告される情報を第２通信デバイスが受信する段階は、
第３ＣＳＩに関する情報であって、第１通信デバイスにより定期的に報告される情報を第２通信デバイスが受信する段階を含む。
【００９３】
第７態様は、チャネル品質を報告する方法を提供し、方法は、
第１通信デバイスが、第１キャリアにおいてチャネル状態測定を実行して前記第１キャリアの各サブバンド又は各スケジューリングユニットについてのチャネル状態情報ＣＳＩを取得する段階であって、前記スケジューリングユニットは、前記第１通信デバイスが配置される無線通信システムにおいてスケジューリングされる最も小さい時間−周波数リソースユニットである、段階と、
前記第１通信デバイスが、各サブバンド又は各スケジューリングユニットについての前記ＣＳＩに従って、前記第１キャリア上の干渉に関する情報を決定する段階と、
前記第１通信デバイスが、前記干渉情報を第２通信デバイスに報告する段階とを含む。
【００９４】
第７態様に関して、第７態様の第１の可能な実現方式では、第１通信デバイスが、各サブバンド又は各スケジューリングユニットについてのＣＳＩに従って第１キャリア上の干渉に関する情報を決定する段階は、
第１サブバンドについてのＣＳＩのＮ個の連続する部分が、第１サブバンドの過去の平均的なＣＳＩよりも少ない場合、第１サブバンド上で干渉を受けていると第１通信デバイスが決定する段階、又は、
第１スケジューリングユニットのＣＳＩのＮ個の連続する部分が、第１スケジューリングユニットの過去の平均的なＣＳＩよりも少ない場合、第１スケジューリングユニット上で干渉を受けていると第１通信デバイスが決定する段階を含み、
第１通信デバイスが干渉情報を第２通信デバイスに報告する段階は、
第１サブバンド上で干渉を受けていると第１通信デバイスが決定した場合、第１通信デバイスが、第１サブバンド上で受けている干渉に関する情報を第２通信デバイスに報告する段階、又は、
第１スケジューリングユニット上で干渉を受けていると第１通信デバイスが決定した場合、第１通信デバイスが、第１スケジューリングユニット上で受けている干渉に関する情報を第２通信デバイスに報告する段階を含む。
【００９５】
第８態様は、チャネル品質を報告する方法を提供し、方法は、
第２通信デバイスが、第１通信デバイスにより報告される、第１通信デバイスに対する第１キャリア上の干渉に関する情報を受信する段階であって、干渉情報は、各サブバンド又は各スケジューリングユニットについてのＣＳＩに従って、第１通信デバイスにより決定される、段階と、
第２通信デバイスが、干渉情報に従って、第１通信デバイスに対する第１キャリア上の干渉に関する情報を決定する段階と含む。
【００９６】
本発明の複数の実施形態において提供されるチャネル品質を報告する方法及び装置によれば、第１キャリアの第１周波数リソース及び第２周波数リソースは、第１ＣＳＩ及び第２ＣＳＩをそれぞれ取得すべく測定され、第１ＣＳＩに関する情報及び第２ＣＳＩに関する情報が第２通信デバイスに報告され、第１周波数リソース及び第２周波数リソースは重なっておらず、第２周波数リソースは、少なくとも第１キャリアのエッジリソースブロックを含む。この方法では、ユーザ機器は、チャネル状態を独立かつ正確に測定し、報告することができる。
【図面の簡単な説明】
【００９７】
本発明の複数の実施形態又は従来技術における技術的解決法をより明確に説明すべく、複数の実施形態及び従来技術を説明するために必要な添付図面を以下で簡潔に説明する。明らかに、以下の説明における添付図面は、本発明のいくつかの実施形態を表しており、当業者は、創造努力なしにこれらの添付図面から他の図面をさらに導き出し得る。
【００９８】
【図１】異種ネットワークアーキテクチャについての概略図である。
【００９９】
【図２】図１に示されるネットワーク内の隣接チャネル干渉についての概略図である。
【０１００】
【図３Ａ】本発明の複数の実施形態で提供されるユーザ機器の第１実施形態についての模式的な構造図である。
【０１０１】
【図３Ｂ】本発明の複数の実施形態で提供されるユーザ機器の第２実施形態についての模式的な構造図である。
【０１０２】
【図４】第１通信デバイスが全周波数帯の両側で干渉を受けることを示す概略図である。
【０１０３】
【図５】本発明の複数の実施形態で提供されるネットワークデバイスの第１実施形態についての模式的な構造図である。
【０１０４】
【図６】本発明の複数の実施形態で提供されるネットワークデバイスの第２実施形態についての模式的な構造図である。
【０１０５】
【図７Ａ】本発明の複数の実施形態で提供されるユーザ機器の第３実施形態についての模式的な構造図である。
【０１０６】
【図７Ｂ】本発明の複数の実施形態で提供されるユーザ機器の第４実施形態についての模式的な構造図である。
【０１０７】
【図８】同一チャネルインターシステム干渉についての概略図である。
【０１０８】
【図９】同一チャネルイントラシステム干渉についての概略図である。
【０１０９】
【図１０】本発明の複数の実施形態で提供されるユーザ機器の第５実施形態についての模式的な構造図である。
【０１１０】
【図１１】本発明の複数の実施形態で提供されるチャネル品質を報告する方法の第１実施形態についての概略図である。
【０１１１】
【図１２】本発明の複数の実施形態で提供されるチャネル品質を報告する方法の第２実施形態についての概略図である。
【０１１２】
【図１３】本発明の複数の実施形態で提供されるチャネル品質を報告する方法の第３実施形態についての概略図である。
【０１１３】
【図１４】本発明の複数の実施形態で提供されるチャネル品質を報告する方法の第４実施形態についての概略図である。
【０１１４】
【図１５】本発明の複数の実施形態で提供されるチャネル品質を報告する方法の第５実施形態についての概略図である。
【０１１５】
【図１６】本発明の複数の実施形態で提供されるチャネル品質を報告する方法の第６実施形態についての概略図である。
【０１１６】
【図１７】本発明の複数の実施形態で提供されるチャネル品質を報告する方法の第７実施形態についての概略図である。
【０１１７】
【図１８】本発明の複数の実施形態で提供されるチャネル品質を報告する方法の第８実施形態についての概略図である。
【０１１８】
【図１９】本発明の複数の実施形態で提供されるチャネル品質を報告する方法の第９実施形態についての概略図である。
【０１１９】
【図２０】本発明の複数の実施形態で提供されるチャネル品質を報告する方法の第１０実施形態についての概略図である。
【０１２０】
【図２１】本発明の複数の実施形態で提供されるチャネル品質を報告する方法の第１１実施形態についての概略図である。
【０１２１】
【図２２】本発明の複数の実施形態で提供されるチャネル品質を報告する方法の第１２実施形態についての概略図である。
【発明を実施するための形態】
【０１２２】
本発明の複数の実施形態の複数の目的、技術的解決法、及び利点をより明確にすべく、以下では、本発明の複数の実施形態における添付図面に関して、本発明の複数の実施形態における技術的解決法を明確かつ完全に説明する。明らかに、説明される実施形態は、本発明の複数の実施形態のいくつかであって、全てではないことは明らかである。創造努力なしに本発明の複数の実施形態に基づいて当業者により取得される他の全ての実施形態が本発明の保護範囲内に含まれる。
【０１２３】
図１は、異種ネットワークアーキテクチャについての概略図である。図１に示されるように、ネットワークは、マクロ基地局１１及びマクロ基地局１２を含む。エリア１３は、マクロ基地局１１のカバレッジエリアであり、エリア１４は、マクロ基地局１２のカバレッジエリアである。ＵＥ１５は、エリア１３内に配置され、マクロ基地局１１に接続され、ＵＥ１６及びＵＥ１７は、エリア１４内に配置され、マクロ基地局１２に接続される。
【０１２４】
マクロ基地局１１及びマクロ基地局１２は、異なるオペレータにそれぞれ属する基地局であってよく、マクロ基地局１１及びマクロ基地局１２の周波数帯は隣接している。もちろん、代わりに、マクロ基地局１１及びマクロ基地局１２は、同じオペレータの基地局であってよい。ＵＥ１５とＵＥ１６との間の距離は、より短く、ＵＥ１５とＵＥ１７との間の距離は、より長い。従って、ＵＥ１６に到達するＵＥ１５のアップリンク信号についての伝搬損失は、より小さく、ＵＥ１７に到達するＵＥ１５のアップリンク信号についての伝搬損失は、より大きい。すなわち、ＵＥ１６に到達するときに、ＵＥ１５のアップリンク信号は、より小さい信号減衰で、かつ、より大きい強度を有する。隣接するエッジ周波数帯リソースがＵＥ１５及びＵＥ１６のそれぞれに対してスケジューリングされるときに、ＵＥ１５は、アップリンクデータを送信し、ＵＥ１５の隣接−チャネル漏洩が、ＵＥ１６によりダウンリンクデータを受信するための周波数帯に対して干渉を引き起こす可能性がある。
【０１２５】
図２は、図１に示されるネットワーク内の隣接チャネル干渉についての概略図である。図２に示されるように、横軸は周波数を表し、縦軸は振幅を表す。横軸における領域２１は、ＵＥ１５のアップリンク送信周波数帯であり、領域２２は、ＵＥ１６及びＵＥ１７のダウンリンク送信周波数帯である。領域２１は、ＵＥ１５が属するシステム又はオペレータのエッジ周波数帯であり、領域２２は、ＵＥ１６及びＵＥ１７が属するシステム又はオペレータのエッジ周波数帯である。曲線２３は、ＵＥ１５のアップリンク送信信号についてのスペクトル波形であり、曲線２４は、ＵＥ１５のアップリンク送信信号についてのスペクトル波形である。破線２５は、ＵＥ１６及びＵＥ１７が配置されるシステムの干渉許容閾値である。破線２５を超える干渉は、ＵＥ１６及びＵＥ１７のダウンリンク送信に影響を与える。ＵＥ１５は、ＵＥ１６及びＵＥ１７に対して干渉を引き起こすことが図２から理解され得るが、ＵＥ１７に対するＵＥ１５からの干渉は、ＵＥ１７の干渉許容閾値を超えていないことが曲線２４から理解され得る。従って、ＵＥ１５のアップリンク送信は、ＵＥ１７のダウンリンク送信に影響を与えない。しかしながら、領域２６内の周波数帯において、ＵＥ１６に対するＵＥ１５からの干渉は、ＵＥ１６の干渉許容閾値より大きいことが曲線２３から理解され得る。すなわち、領域２６内の周波数帯において、ＵＥ１６のダウンリンク送信は、ＵＥ１５のアップリンク送信による影響を受ける。
【０１２６】
ＵＥ１６がＵＥ１５からの干渉を受けるときに、ＵＥ１６は、チャネル品質を測定する必要があり、ＣＳＩをマクロ基地局１２に報告する。しかしながら、３つの現在のＣＳＩ測定及び報告の解決法では、広帯域ＣＳＩ解決法が用いられる場合、ＵＥ１６が領域２６内の周波数帯のみで干渉を受け、かつ、広帯域ＣＳＩが領域２２内のダウンリンク周波数帯全体のチャネル品質を反映するので、広帯域ＣＳＩ解決法では、全周波数帯の平均的なＣＳＩがマクロ基地局１２に報告されてしまい、ＵＥ１６に対する干渉の状態を反映できない。最適なＭ個のサブバンドＣＳＩ解決法が用いられる場合、ＵＥ１６は、領域２６を除く領域２２内の別の周波数帯において相対的に良好なチャネル状態を有するＭ個のサブバンドのＣＳＩのみを測定し、当該ＣＳＩをマクロ基地局１２に報告してしまい、いずれも、ＵＥ１６に対する干渉の状態を反映できない。サブバンドＣＳＩ解決法が用いられる場合、ＵＥ１６は、領域２２内の各サブバンドについてのＣＳＩを測定し、当該ＣＳＩをマクロ基地局１２に報告する。この解決法は、ＵＥ１６に対する干渉の状態を反映できるが、各サブバンドについてのＣＳＩを報告すべく、相対的に多い数のリソースを占有する必要がある。
【０１２７】
既存のＣＳＩ測定及びフィードバック方法についての前述の問題を考慮して、本発明の複数の実施形態は、チャネル品質を報告する方法及び装置を提供し、これにより、相対的に少ない数のリソースを用いることによりＵＥに対する干渉の状態を測定し、報告することができる。
【０１２８】
図３Ａは、本発明の複数の実施形態で提供されるユーザ機器の第１実施形態についての模式的な構造図である。図３Ａに示されるように、本実施形態のユーザ機器は、処理モジュール３１及び送信モジュール３２を含む。
【０１２９】
処理モジュール３１は、第１キャリアの第１周波数リソースにおいてチャネル状態測定を実行して第１ＣＳＩを取得し、第１キャリアの第２周波数リソースにおいてチャネル状態測定を実行して第２ＣＳＩを取得するように構成され、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０１３０】
具体的には、相対的に少ない数のリソースが、ユーザ機器に対する干渉の状態を測定及び報告するために用いられるべく、本実施形態では、まず、通信のためにユーザ機器によって用いられる第１キャリアが分割される。第１キャリアは、第１周波数リソース及び第２周波数リソースに分割される。第１周波数リソース及び第２周波数リソースはそれぞれ、複数のリソースブロック（Ｒｅｓｏｕｒｃｅ  Ｂｌｏｃｋ、ＲＢ）を含む。第１周波数リソース内の複数のリソースブロックは連続しており、第２周波数リソース内の複数のリソースブロックは連続している。本明細書におけるリソースブロックは、ユーザ機器によるデータ送信に対して最も小さい周波数リソースユニットである。第１周波数リソース及び第２周波数リソースは重なっておらず、第２周波数リソースは、少なくとも第１キャリアのエッジリソースブロックを含み、エッジリソースブロックは、第１キャリアのエッジにおけるリソースブロックを示す。
【０１３１】
チャネル状態を測定するときに、本実施形態で提供されるユーザ機器の処理モジュール３１は、第１周波数リソース及び第２周波数リソースのチャネル状態を個別に測定する。チャネル状態測定は、第１ＣＳＩを取得すべく第１キャリアの第１周波数リソースにおいて実行され、チャネル状態測定は、第２ＣＳＩを取得すべく第１キャリアの第２周波数リソースにおいて実行される。第１周波数リソース及び第２周波数リソースにおいてチャネル状態測定を実行するための方法は、任意のＣＳＩ測定及び計算方式であってよい。
【０１３２】
送信モジュール３２は、第１ＣＳＩに関する情報及び第２ＣＳＩに関する情報を第２通信デバイスに報告するように構成される。
【０１３３】
具体的には、処理モジュール３１が第１ＣＳＩ及び第２ＣＳＩを取得した後に、２つの処理方法が本実施形態で提供されるユーザ機器に対して利用可能である。
【０１３４】
第１方法では、送信モジュール３２は、第１ＣＳＩを第２通信デバイスに直接報告し、第２ＣＳＩを第２通信デバイスに報告する。第２通信デバイスは、ネットワーク内のネットワーク側デバイスである。第２通信デバイスは、ユーザ機器により報告されるＣＳＩを受信できる。概して、第２通信デバイスは、ネットワーク内の基地局である。第１ＣＳＩ及び第２ＣＳＩを受信した後に、第２通信デバイスは、第１ＣＳＩ及び第２ＣＳＩに従って、ユーザ機器が第１キャリアの第１周波数リソース上及び第２周波数リソース上で干渉を受けているか否かをそれぞれ決定してよい。ユーザ機器は、第１キャリアの第１周波数リソース及び第２周波数リソースにおけるチャネル状態測定を個別に実行する。従って、広帯域ＣＳＩ解決法又は最適なＭ個のサブバンドＣＳＩ解決法を用いることにより取得されるＣＳＩと比較して、この方法を用いることによる測定手段で取得される第１ＣＳＩ及び第２ＣＳＩは、第１キャリアのチャネル状態をより正確に反映できる。サブバンドＣＳＩ解決法と比較すると、この方法では、ユーザ機器は、独立した報告能力を有しており、基地局により送信されるシグナリングによりトリガされることなくチャネル状態情報を測定及び報告できる。
【０１３５】
第２方法では、処理モジュール３１は、第１ＣＳＩ及び第２ＣＳＩに従って第１キャリア上の第１干渉情報を決定し、送信モジュール３２は、第１干渉情報を第２通信デバイスに報告する。第２方法と前述の第１方法との間の差異は、第１方法では、処理モジュール３１が第１キャリアの第１周波数リソース及び第２周波数リソースのみを測定して第１ＣＳＩ及び第２ＣＳＩをそれぞれ取得するのに対し、第２方法では、第１ＣＳＩ及び第２ＣＳＩを取得した後に、処理モジュール３１が、さらに、第１ＣＳＩ及び第２ＣＳＩに従って第１キャリア上の第１干渉情報を決定する点にある。すなわち、第２方法では、ユーザ機器が第１キャリア上で干渉を受けるか否かは、ユーザ機器に提供される処理モジュール３１により決定される。しかしながら、第１方法では、当該決定処理は、第２通信デバイスにより完了される。処理モジュール３１が、第１キャリア上の第１干渉情報を決定した後に、送信モジュール３２は、第１干渉情報を第２通信デバイスに送信することのみを必要とし、第２通信デバイスは、ユーザ機器が第１キャリア上で干渉を受けているか否かを決定し得る。この方法において、第１干渉情報のみが第２通信デバイスに報告され、第１干渉情報は、ユーザ機器に対する第１キャリア上の干渉の状態のみを表すために用いられる。従って、この方法を用いることによってユーザ機器がチャネル状態情報を報告することで、利用される無線リソースを低減できる。
【０１３６】
図３Ａに示される実施形態についての実現方式において、第１ＣＳＩに関する情報は、第１ＣＳＩを含み、第２ＣＳＩに関する情報は第２ＣＳＩを含み、送信モジュール３２は、具体的には、第１ＣＳＩを第２通信デバイスに報告する方式、及び、第２ＣＳＩを第２通信デバイスに報告する方式で、第１ＣＳＩに関する情報及び第２ＣＳＩに関する情報を第２通信デバイスに報告するように構成される。
【０１３７】
具体的には、処理モジュール３１が第１ＣＳＩ及び第２ＣＳＩを取得した後に、送信モジュール３２は、第１ＣＳＩ及び第２ＣＳＩを一緒に、又は、個別にに第２通信デバイスに報告する。第２通信デバイスは、ネットワーク内のネットワーク側デバイスである。第２通信デバイスは、ユーザ機器により報告されるＣＳＩを受信できる。概して、第２通信デバイスは、ネットワーク内の基地局である。
【０１３８】
第１ＣＳＩ及び第２ＣＳＩを受信した後に、第２通信デバイスは、第１ＣＳＩ及び第２ＣＳＩに従って、ユーザ機器が第１キャリアの第１周波数リソース上及び第２周波数リソース上で干渉を受けているか否かをそれぞれ決定してよい。ユーザ機器は、第１キャリアの第１周波数リソース及び第２周波数リソースにおけるチャネル状態測定を個別に実行する。従って、広帯域ＣＳＩ解決法又は最適なＭ個のサブバンドＣＳＩ解決法を用いることにより取得されるＣＳＩと比較して、この方法を用いることによる測定手段で取得される第１ＣＳＩ及び第２ＣＳＩは、第１キャリアのチャネル状態をより正確に反映できる。サブバンドＣＳＩ解決法と比較すると、この方法では、ユーザ機器は、独立した報告能力を有しており、基地局により送信されるシグナリングによりトリガされることなくチャネル状態情報を測定及び報告できる。
【０１３９】
さらに、図３Ａに示される実施形態において、第１ＣＳＩは、第１周波数リソースに対応する平均的なチャネル状態情報であり、第２ＣＳＩは、第２周波数リソースに対応する平均的なチャネル状態情報である。
【０１４０】
具体的には、第１ＣＳＩが第１周波数リソースに対応する平均的なチャネル状態情報であり、第２ＣＳＩが第２周波数リソースに対応する平均的なチャネル状態情報であるときに、第１周波数リソースにとって、第１ＣＳＩは、広帯域ＣＳＩ解決法を用いることにより測定されるＣＳＩと同様であり、第２周波数リソースにとって、第２ＣＳＩは、広帯域ＣＳＩ解決法を用いることにより測定されるＣＳＩと同様である。従って、本実施形態におけるユーザ機器によれば、チャネル状態が正確に反映されるだけでなく、チャネル状態情報を測定及び報告するために利用されるリソースも低減される。
【０１４１】
さらに、異なるオペレータ又は異なる無線通信システムにより用いられ得る複数の周波数リソースは、予め割り当てられている。従って、第１キャリアが通信のためにユーザ機器に割り当てられているときに、第１キャリアの周波数リソースであって、別のオペレータ又は別の無線通信システムからの隣接チャネル干渉があり得る複数の周波数帯が認識され得る。図１及び図２に示される異種ネットワーク内の隣接チャネル干渉についての問題を解決すべく、本実施形態において、さらに以下のように設定してよく、つまり、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。潜在的な干渉を受ける周波数リソースは、第１キャリアの周波数リソースであって、別のオペレータ又は別の無線通信システムからの隣接チャネル干渉があり得る周波数帯であり、潜在的な干渉を受けない周波数リソースは、第１キャリアの周波数リソースであって、別のオペレータ又は別の無線通信システムからの隣接チャネル干渉がない周波数帯である。
【０１４２】
第１周波数リソース及び第２周波数リソースが潜在的な干渉を受ける周波数リソースであるか否かは、無線通信システム内のスペクトル配分に従って決定され得る。概して、潜在的な干渉を受ける複数の周波数リソースは、第１キャリアのいくつかのエッジ周波数リソースである。第１キャリアのこれらのエッジ周波数リソース上に隣接周波数を用いる異なるオペレータ又は異なるシステムからの干渉があり得る。図１及び図２に示されるように、ＵＥ１６が、隣接チャネル干渉があり得るユーザ機器であり、領域２２内の周波数リソースが第１キャリアであり、領域２６内の周波数リソースが第２周波数リソースであり、領域２２内の領域２６とは異なる別の領域内の周波数リソースが第１周波数リソースであることが仮定される。ＵＥ１６が領域２６内の周波数リソースについてのチャネル状態情報と、領域２２内の領域２６とは別の領域の周波数リソースについてのチャネル状態情報とを個別に測定及び報告する場合、干渉状態がかなり正確に反映され得る。
【０１４３】
本実施形態において、第１キャリアの第１周波数リソース及び第２周波数リソースは、第１ＣＳＩ及び第２ＣＳＩをそれぞれ取得すべく測定され、第１ＣＳＩに関する情報及び第２ＣＳＩに関する情報は、第２通信デバイスに報告され、第１周波数リソース及び第２周波数リソースは重なっておらず、第２周波数リソースは、少なくとも第１キャリアのエッジリソースブロックを含むので、ユーザ機器は、チャネル状態を独立かつ正確に測定及び報告できる。
【０１４４】
さらに、図３Ａに示される実施形態において、処理モジュール３１は、第１キャリアの第１周波数リソースにおいてチャネル状態測定を実行して第１ＣＳＩを取得する前に、第１周波数リソースの周波数帯情報を取得し、第１キャリアの第２周波数リソースにおいてチャネル状態測定を実行して第２ＣＳＩを取得する前に、第２周波数リソースの周波数帯情報を取得するようにさらに構成される。
【０１４５】
具体的には、処理モジュール３１は、第１キャリアの第１周波数リソース及び第２周波数リソースにおけるチャネル状態測定を個別に実行する必要がある。従って、測定を実行する前に、処理モジュール３１は、まず、第１周波数リソースの周波数帯情報及び第２周波数リソースの周波数帯情報を取得する必要がある。任意に、第１周波数リソースの周波数帯情報及び第２周波数リソースの周波数帯情報は、ユーザ機器内のストレージモジュールに予め設定されていてよい。この場合、処理モジュール３１は、ユーザ機器に予め設定されている第１周波数リソースの周波数帯情報及び第２周波数リソースの周波数帯情報に従って第１周波数リソース及び第２周波数リソースを決定してよい。代わりに、第１周波数リソースの周波数帯情報及び第２周波数リソースの周波数帯情報は、第２通信デバイス内のストレージモジュールに予め設定されていてよい。この場合、処理モジュール３１は、第２通信デバイスにより送信される通知情報から第１周波数リソースの周波数帯情報及び第２周波数リソースの周波数帯情報を取得してよい。従って、図３Ａに示される実施形態におけるユーザ機器は、さらに、第２通信デバイスにより送信される通知情報を受信するように構成される受信モジュールをさらに含んでよい。
【０１４６】
図３Ｂは、本発明の複数の実施形態で提供されるユーザ機器の第２実施形態についての模式的な構造図である。図３Ｂに示されるように、図３Ａに基づく本実施形態のユーザ機器は、ストレージモジュール３３又は受信モジュール３４をさらに含む。
【０１４７】
ストレージモジュール３３は、第１周波数リソースの周波数帯情報及び第２周波数リソースの周波数帯情報を格納するように構成される。
【０１４８】
受信モジュール３４は、第２通信デバイスにより送信される通知情報を受信するように構成され、通知メッセージは、第１周波数リソースの周波数帯情報及び第２周波数リソースの周波数帯情報を含む。
【０１４９】
第１周波数リソースの周波数帯情報は、第１周波数リソースの位置及び／又は帯域幅を示すべく用いられる情報を含み、第２周波数リソースの周波数帯情報は、第２周波数リソースの位置及び／又は帯域幅を示すべく用いられる情報を含む。
【０１５０】
さらに、図３Ａ又は図３Ｂに示される実施形態において、処理モジュール３１は、具体的には、第１周波数リソースにおいてチャネル状態測定を定期的に実行して第１ＣＳＩを取得し、第２周波数リソースにおいてチャネル状態測定を定期的に実行して第２ＣＳＩを取得するように構成される。送信モジュール３２は、具体的には、第１ＣＳＩを第２通信デバイスに定期的に報告し、第２ＣＳＩを第２通信デバイスに定期的に報告するように構成される。
【０１５１】
さらに、図３Ａ又は図３Ｂに示される実施形態において、処理モジュール３１は、第１キャリアの第３周波数リソースにおいてチャネル状態測定を実行して第３ＣＳＩを取得するようにさらに構成され、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含み、送信モジュール３２は、第３ＣＳＩを第２通信デバイスに報告するようにさらに構成される。
【０１５２】
具体的には、図１及び図２に示される異種ネットワークアーキテクチャのシナリオでは、ＵＥ１５からＵＥ１６への隣接チャネル干渉のみが示されている。ＵＥ１５は、ＵＥ１６についての全周波数帯の一方の側におけるいくつかの周波数帯に対して干渉を引き起こす。しかしながら、示されていない別のシナリオでは、ＵＥ１６は、全周波数帯の両側において干渉を受け得る。
【０１５３】
図４に示されるように、図４は、ユーザ機器が全周波数帯の両側において干渉を受けることを示す概略図である。図４において、横軸は周波数を表し、縦軸は振幅を表す。横軸における領域４１は、第１通信デバイスのダウンリンク送信周波数帯であり、破線４２は、第１通信デバイスの干渉許容閾値である。破線４２を超える干渉は、第１通信デバイスのダウンリンク送信に影響を与え得る。曲線４３は、第３通信デバイスのアップリンク送信信号についてのスペクトル波形であり、曲線４４は、第４通信デバイスのアップリンク送信信号についてのスペクトル波形である。第３通信デバイス及び第４通信デバイスの両方が第１通信デバイスのダウンリンク送信に影響を与え得ることが図４から理解され得る。第１通信デバイスのダウンリンク送信は、曲線４３の領域４５内の周波数帯に影響を与え、第１通信デバイスは、曲線４４の領域４６内の周波数帯上で干渉を受ける。第１通信デバイスは、他のユーザ機器から干渉を受ける得るユーザ機器であり、第３通信デバイス及び第４通信デバイスは、第１通信デバイスに対して干渉を引き起こし得るユーザ機器である。
【０１５４】
前述の場合、処理モジュール３１が第１キャリアの第１周波数リソース及び第２周波数リソースのみにおいてチャネル状態測定を実行した場合、チャネル状態情報を受信する第２通信デバイスは、第１通信デバイスが第２周波数リソース上で干渉を受けることのみを認識、すなわち、第１通信デバイスが一方の側においていくつかの周波数帯上で干渉を受けることのみを認識する。周波数をスケジューリングする方法を用いることにより第２周波数リソースから離れている第１通信デバイスを第２通信デバイスがスケジューリングする場合、第１通信デバイスは、他方の側における周波数リソース上で干渉をさらに受ける可能性がある。
【０１５５】
従って、処理モジュール３１は、さらに、第１キャリアの第３周波数リソースにおいてチャネル状態測定を実行して第３ＣＳＩを取得してよく、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含む。本明細書において、第１キャリアは、それぞれ第１周波数リソース、第２周波数リソース及び第３周波数リソースである３つの部分に同等に分割される。第２周波数リソース及び第３周波数リソースはそれぞれ、少なくとも第１キャリアのエッジリソースブロックを含む。すなわち、第２周波数リソース及び第３周波数リソースは、それぞれ、第１キャリアの２つの側におけるいくつかの周波数リソースである。この方法では、処理モジュール３１は、第１キャリアの第２ＣＳＩ及び第３ＣＳＩを測定して第１ＣＳＩを個別に取得するので、これは、第１通信デバイスのチャネル状態情報を第１周波数リソース上により正確に反映できる。第３周波数リソースにおけるチャネル状態測定を実行するための方法は、任意のＣＳＩ測定及び計算方式であってよい。
【０１５６】
処理モジュール３１が第１ＣＳＩ、第２ＣＳＩ及び第３ＣＳＩを取得した後に、送信モジュール３２は、第１ＣＳＩ、第２ＣＳＩ及び第３ＣＳＩを一緒に、又は、個別に第２通信デバイスに報告する。第１ＣＳＩ、第２ＣＳＩ及び第３ＣＳＩを受信した後に、第２通信デバイスは、第１ＣＳＩ、第２ＣＳＩ及び第３ＣＳＩに従って、ユーザ機器が第１キャリアの第１周波数リソース上、第２周波数リソース上、及び第３周波数リソースで干渉を受けているか否かをそれぞれ決定してよい。ユーザ機器は、第１キャリアの第１周波数リソース、第２周波数リソース及び第３周波数リソースにおけるチャネル状態測定を個別に実行する。従って、広帯域ＣＳＩ解決法又は最適なＭ個のサブバンドＣＳＩ解決法を用いることにより取得されるＣＳＩと比較して、この方法を用いることによる測定手段で取得される第１ＣＳＩ、第２ＣＳＩ及び第３ＣＳＩは、第１キャリアのチャネル状態をより正確に反映できる。サブバンドＣＳＩ解決法と比較すると、この方法では、ユーザ機器は、独立した報告能力を有しており、基地局により送信されるシグナリングによりトリガされることなくチャネル状態情報を測定及び報告できる。
【０１５７】
さらに、図３Ａ又は図３Ｂに示される実施形態において、第３ＣＳＩは、第３周波数リソースに対応する平均的なチャネル状態情報である。
【０１５８】
具体的には、第３ＣＳＩが第３周波数リソースに対応する平均的なチャネル状態情報であるときに、第３周波数リソースにとって、第３ＣＳＩは、広帯域ＣＳＩ解決法を用いることにより測定されるＣＳＩと同様である。従って、本実施形態におけるユーザ機器によれば、チャネル状態が正確に反映されるだけでなく、チャネル状態情報を測定及び報告するために利用されるリソースも低減される。
【０１５９】
さらに、異なるオペレータ又は異なる無線通信システムにより用いられ得る複数の周波数リソースは、予め割り当てられている。従って、第１キャリアが通信のためにユーザ機器に割り当てられているときに、第１キャリアの周波数リソースであって、別のオペレータ又は別の無線通信システムからの隣接チャネル干渉があり得る複数の周波数帯が認識され得る。図４に示される隣接チャネル干渉についての問題を解決すべく、本実施形態において、さらに以下のように設定してよく、つまり、第２周波数リソース及び第３周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【０１６０】
第１周波数リソース、第２周波数リソース及び第３周波数リソースが潜在的な干渉を受ける周波数リソースであるか否かは、無線通信システム内のスペクトル配分に従って決定され得る。概して、潜在的な干渉を受ける複数の周波数リソースは、第１キャリアのいくつかのエッジ周波数リソースである。第１キャリアのこれらのエッジ周波数リソース上に隣接周波数を用いる異なるオペレータ又は異なるシステムからの干渉があり得る。図４に示されるように、領域４１内の周波数リソースは第１キャリアであり、領域４５内の周波数リソースは第２周波数リソースであり、領域４６内の周波数リソースは第３周波数リソースであり、領域４１における領域４５及び領域４６とは別の領域内の周波数リソースは第１周波数リソースである。領域４５内の周波数リソースについてのチャネル状態情報と、領域４６内の周波数リソースについてのチャネル状態情報と、領域４１内の領域４５及び領域４６とは別の領域内の周波数リソースについてのチャネル状態情報とが個別に測定及び報告される場合、干渉状態がかなり正確に反映され得る。
【０１６１】
さらに、図３Ａ又は図３Ｂに示される実施形態において、処理モジュール３１は、第１キャリアの第３周波数リソースにおいてチャネル状態測定を実行して第３ＣＳＩを取得する前に、第３周波数リソースの周波数帯情報を取得するようにさらに構成される。
【０１６２】
さらに、図３Ａ又は図３Ｂに示される実施形態において、処理モジュール３１は、具体的には、予め設定された情報から第３周波数リソースの周波数帯情報を取得し、又は、第２通信デバイスにより送信される通知情報から第３周波数リソースの周波数帯情報を取得するように構成される。処理モジュール３１は、ストレージモジュール３３から第３周波数リソースの周波数帯情報を取得する、又は、受信モジュール３４が第２通信デバイスにより送信される通知情報を受信して、処理モジュール３１は、第２通信デバイスにより送信される通知情報から第３周波数リソースの周波数帯情報を取得する。
【０１６３】
第３周波数リソースの周波数帯情報は、第３周波数リソースの位置及び／又は帯域幅を示すべく用いられる情報を含む。
【０１６４】
さらに、図３Ａ又は図３Ｂに示される実施形態において、処理モジュール３１は、具体的には、第３周波数リソースにおいてチャネル状態測定を定期的に実行して第３ＣＳＩを取得するように構成され、送信モジュール３２は、具体的には、第３ＣＳＩを第２通信デバイスに定期的に報告するように構成される。
【０１６５】
処理モジュール３１が第３周波数リソースを測定し、送信モジュール３２が第３ＣＳＩを報告するための具体的な方法は、第２周波数リソースを測定し、第２ＣＳＩを報告するための方法と同じであり、本明細書において詳細は、再度説明されない。
【０１６６】
図５は、本発明の複数の実施形態で提供されるネットワークデバイスの第１実施形態についての模式的な構造図である。図５に示されるように、本実施形態のネットワークデバイスは、受信モジュール５１及び処理モジュール５２を含む。
【０１６７】
受信モジュール５１は、第１通信デバイスにより報告される第１ＣＳＩに関する情報及び第２ＣＳＩに関する情報を受信するように構成され、第１ＣＳＩに関する情報は、第１キャリアの第１周波数リソースに対応するチャネル状態情報に関する情報であり、第２ＣＳＩに関する情報は、第１キャリアの第２周波数リソースに対応するチャネル状態情報に関する情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０１６８】
具体的には、本実施形態で提供されるネットワークデバイスは、第１通信デバイスにより報告されるＣＳＩを受信できる。概して、ネットワークデバイスは、ネットワーク内の基地局である。第１通信デバイスは、別の通信デバイスからの干渉を受ける通信デバイスであり、第１通信デバイスは、例えば、ＵＥであってよい。
【０１６９】
相対的に少ない数のリソースが、第１通信デバイスに対する干渉の状態を測定及び報告するために用いられるべく、本実施形態では、まず、通信のために第１通信デバイスによって用いられる第１キャリアが分割される。第１キャリアは、第１周波数リソース及び第２周波数リソースに分割される。第１周波数リソース及び第２周波数リソースはそれぞれ、複数のリソースブロックを含む。第１周波数リソース内の複数のリソースブロックは連続しており、第２周波数リソース内の複数のリソースブロックは連続している。本明細書におけるリソースブロックは、第１通信デバイスによるデータ送信に対して最も小さい周波数リソースユニットである。第１周波数リソース及び第２周波数リソースは重なっておらず、第２周波数リソースは、少なくとも第１キャリアのエッジリソースブロックを含み、エッジリソースブロックは、第１キャリアのエッジにおけるリソースブロックを表す。
【０１７０】
本実施形態で提供されるネットワークデバイスの受信モジュール５１は、第１通信デバイスにより報告される第１ＣＳＩに関する情報及び第２ＣＳＩに関する情報を個別に受信する。第１ＣＳＩに関する情報は、第１キャリアの第１周波数リソースに対応するチャネル状態情報に関する情報であり、第２ＣＳＩに関する情報は、第１キャリアの第２周波数リソースに対応するチャネル状態情報に関する情報である。
【０１７１】
本実施形態では、第１ＣＳＩに関する情報及び第２ＣＳＩに関する情報について２つの場合が存在する。第１の場合では、第１ＣＳＩに関する情報は第１ＣＳＩを含み、第２ＣＳＩに関する情報は第２ＣＳＩを含む。第１通信デバイスが測定手段により第１ＣＳＩ及び第２ＣＳＩを取得した後に、受信モジュール５１は、第１通信デバイスにより報告される第１ＣＳＩ及び第２ＣＳＩを個別に受信する。第２の場合では、第１ＣＳＩに関する情報及び第２ＣＳＩに関する情報は第１干渉情報を含む。第１通信デバイスが測定手段により第１ＣＳＩ及び第２ＣＳＩを取得した後に、第１干渉情報は、第１ＣＳＩ及び第２ＣＳＩに従って第１通信デバイスにより取得される。受信モジュール５１は、第１干渉情報を直接受信する。
【０１７２】
処理モジュール５２は、第１ＣＳＩに関する情報及び第２ＣＳＩに関する情報に従って、第１通信デバイスに対する第１キャリア上の干渉に関する情報を決定するように構成される。
【０１７３】
具体的には、受信モジュール５１が第１ＣＳＩに関する情報及び第２ＣＳＩに関する情報を受信した後に、処理モジュール５２は、第１ＣＳＩに関する情報及び第２ＣＳＩに関する情報に従って、第１通信デバイスに対する第１キャリアの干渉に関する情報を決定してよい。第１ＣＳＩに関する情報が第１ＣＳＩ含み、第２ＣＳＩに関する情報が第２ＣＳＩを含む場合、処理モジュール５２は、第１ＣＳＩ及び第２ＣＳＩにそれぞれ従って、ユーザ機器が第１キャリアの第１周波数リソース及び第２周波数リソース上で干渉を受けているか否かを決定する。第１通信デバイスは、第１キャリアの第１周波数リソース及び第２周波数リソースにおけるチャネル状態測定を個別に実行して、報告を行う。従って、広帯域ＣＳＩ解決法又は最適なＭ個のサブバンドＣＳＩ解決法を用いることにより取得されるＣＳＩと比較して、この方法に従ってネットワークデバイスにより取得される第１ＣＳＩ及び第２ＣＳＩは、第１キャリアのチャネル状態をより正確に反映できる。サブバンドＣＳＩ解決法と比較すると、この方法では、第１通信デバイスは、独立した報告能力を有しており、基地局により送信されるシグナリングによりトリガされることなくチャネル状態情報を測定及び報告できる。
【０１７４】
第１ＣＳＩに関する情報及び第２ＣＳＩに関する情報が第１干渉情報を含む場合、第１通信デバイスが第１キャリア上で干渉を受けているか否かが、第１通信デバイスにより決定される。ネットワークデバイスにより受信される第１干渉情報は、第１通信デバイスに対する第１キャリア上の干渉の状態に関する情報を直接表す。従って、この方法を用いることによってユーザ機器がチャネル状態情報を報告することで、利用される無線リソースを低減できる。
【０１７５】
図５に示される実施形態についての実現方式では、第１ＣＳＩに関する情報は第１ＣＳＩを含み、第２ＣＳＩに関する情報は第２ＣＳＩを含む。受信モジュール５１は、具体的には、第１通信デバイスにより報告される第１ＣＳＩを受信し、第１通信デバイスにより報告される第２ＣＳＩを受信する方式で、第１通信デバイスにより報告される第１ＣＳＩに関する情報及び第２ＣＳＩに関する情報を受信するように構成される。処理モジュール５２は、具体的には、第１ＣＳＩ及び第２ＣＳＩに従って、第１通信デバイスに対する第１キャリア上の干渉に関する情報を決定するように構成される。
【０１７６】
具体的には、受信モジュール５１は、第１ＣＳＩ及び第２ＣＳＩを個別に受信し、処理モジュール５２は、第１ＣＳＩ及び第２ＣＳＩにそれぞれ従って、第１通信デバイスが第１キャリアの第１周波数リソース及び第２周波数リソース上で干渉を受けているか否かを決定する。本実施形態で提供されるネットワークデバイスは、第１キャリアの第１周波数リソース及び第２周波数リソースを測定した第１通信デバイスにより報告される第１ＣＳＩ及び第２ＣＳＩを個別に受信する。従って、広帯域ＣＳＩ解決法又は最適なＭ個のサブバンドＣＳＩ解決法を用いることにより取得されるＣＳＩと比較して、この方法を用いることにより取得される第１ＣＳＩ及び第２ＣＳＩは、第１キャリアのチャネル状態をより正確に反映できる。サブバンドＣＳＩ解決法と比較すると、この方法では、第１通信デバイスは、独立した報告能力を有しており、基地局により送信されるシグナリングによりトリガされることなくチャネル状態情報を測定及び報告できる。
【０１７７】
さらに、図５に示される実施形態において、第１ＣＳＩは、第１周波数リソースに対応する平均的なチャネル状態情報であり、第２ＣＳＩは、第２周波数リソースに対応する平均的なチャネル状態情報である。
【０１７８】
具体的には、第１ＣＳＩが第１周波数リソースに対応する平均的なチャネル状態情報であり、第２ＣＳＩが第２周波数リソースに対応する平均的なチャネル状態情報であるときに、第１周波数リソースにとって、第１ＣＳＩは、広帯域ＣＳＩ解決法を用いることにより測定されるＣＳＩと同様であり、第２周波数リソースにとって、第２ＣＳＩは、広帯域ＣＳＩ解決法を用いることにより測定されるＣＳＩと同様である。従って、本実施形態におけるネットワークデバイスによれば、チャネル状態が正確に反映されるだけでなく、チャネル状態情報を測定及び報告するために利用されるリソースも低減される。
【０１７９】
さらに、異なるオペレータ又は異なる無線通信システムにより用いられ得る周波数リソースは、予め割り当てられている。従って、第１キャリアが通信のために第１通信デバイスに割り当てられているときに、第１キャリアの周波数リソースであって、別のオペレータ又は別の無線通信システムからの隣接チャネル干渉があり得る複数の周波数帯が認識され得る。図１及び図２に示される異種ネットワーク内の隣接チャネル干渉についての問題を解決すべく、本実施形態において、さらに以下のように設定してよく、つまり、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。潜在的な干渉を受ける周波数リソースは、第１キャリアの周波数リソースであって、別のオペレータ又は別の無線通信システムからの隣接チャネル干渉があり得る周波数帯であり、潜在的な干渉を受けない周波数リソースは、第１キャリアの周波数リソースであって、別のオペレータ又は別の無線通信システムからの隣接チャネル干渉がない周波数帯である。
【０１８０】
第１周波数リソース及び第２周波数リソースが潜在的な干渉を受ける周波数リソースであるか否かは、無線通信システム内のスペクトル配分に従って決定され得る。概して、潜在的な干渉を受ける複数の周波数リソースは、第１キャリアのいくつかのエッジ周波数リソースである。第１キャリアのこれらのエッジ周波数リソース上に隣接周波数を用いる異なるオペレータ又は異なるシステムからの干渉があり得る。
【０１８１】
本実施形態において、第１キャリアの第１周波数リソース及び第２周波数リソースを測定した第１通信デバイスにより報告されるチャネル状態情報が受信され、第１周波数リソース及び第２周波数リソースは重なっておらず、第２周波数リソースは、少なくとも第１キャリアのエッジリソースブロックを含む。この方法では、ネットワークデバイスは、ユーザ機器により独立かつ正確に測定及び報告されるチャネル状態情報を受信できる。
【０１８２】
図６は、本発明の複数の実施形態で提供されるネットワークデバイスの第２実施形態についての模式的な構造図である。図６に示されるように、図５に基づく本実施形態のネットワークデバイスは、
受信モジュール５１が第１通信デバイスにより報告される第１ＣＳＩを受信する前に、第１周波数リソースの周波数帯情報を含む通知メッセージを第１通信デバイスに送信し、受信モジュール５１が第１通信デバイスにより報告される第２ＣＳＩを受信する前に、第２周波数リソースの周波数帯情報を含む通知メッセージを第１通信デバイスに送信するように構成される送信モジュール５３をさらに含む。
【０１８３】
具体的には、第１通信デバイスは、第１キャリアの第１周波数リソース及び第２周波数リソースにおけるチャネル状態測定を個別に実行する必要がある。従って、測定を実行する前に、第１通信デバイスは、まず、第１周波数リソースの周波数帯情報及び第２周波数リソースの周波数帯情報を取得する必要がある。任意に、第１周波数リソースの周波数帯情報及び第２周波数リソースの周波数帯情報は、第１通信デバイス内のストレージモジュールに予め設定されていてよい。この場合、第１通信デバイスは、第１周波数リソースの予め設定された周波数帯情報及び第２周波数リソースの予め設定された周波数帯情報に従って第１周波数リソース及び第２周波数リソースを決定してよい。代わりに、第１周波数リソースの周波数帯情報及び第２周波数リソースの周波数帯情報は、ネットワークデバイス内のストレージモジュールに予め設定されてよい。従って、第１通信デバイスは、ネットワークデバイスの予め設定された情報から第１周波数リソースの周波数帯情報及び第２周波数リソースの周波数帯情報を取得してよい。代わりに、第１通信デバイスは、第２通信デバイスにより送信される通知情報から第１周波数リソースの周波数帯情報及び第２周波数リソースの周波数帯情報を取得してよい。
【０１８４】
第１周波数リソースの周波数帯情報及び第２周波数リソースの周波数帯情報が、本実施形態で提供されるネットワークデバイス内の第２通信デバイスにおいて予め設定されている場合、送信モジュール５３は、受信モジュール５１が第１通信デバイスにより報告される第１ＣＳＩを受信する前に、第１周波数リソースの周波数帯情報を含む通知メッセージを第１通信デバイスに送信し、受信モジュール５１が第１通信デバイスにより報告される第２ＣＳＩを受信する前に、第２周波数リソースの周波数帯情報を含む通知メッセージを第１通信デバイスに送信するように構成される。
【０１８５】
第１周波数リソースの周波数帯情報は、第１周波数リソースの位置及び／又は帯域幅を示すべく用いられる情報を含み、第２周波数リソースの周波数帯情報は、第２周波数リソースの位置及び／又は帯域幅を示すべく用いられる情報を含む。
【０１８６】
さらに、図５又は図６に示される実施形態において、受信モジュール５１は、具体的には、第１通信デバイスにより定期的に報告される第１ＣＳＩを受信し、第１通信デバイスにより定期的に報告される第２ＣＳＩを受信するように構成される。
【０１８７】
さらに、図５又は図６に示される実施形態において、処理モジュール５２は、具体的には、第１ＣＳＩと第２ＣＳＩとの間の差が予め設定された閾値より大きい場合、第１通信デバイスが第１キャリアの第２周波数リソース上で干渉を受けていると決定し、又は、受信モジュール５１により連続して受信される第２ＣＳＩのＮ個の部分が、受信モジュール５１により受信された過去の平均的な第２ＣＳＩもより少ない場合、第１通信デバイスが第１キャリアの第２周波数リソース上で干渉を受けていると決定するように構成され、Ｎは、予め設定された自然数であり、Ｎ≧２である。
【０１８８】
具体的には、受信モジュール５１が第１ＣＳＩ及び第２ＣＳＩを受信した後に、第１ＣＳＩ及び第２ＣＳＩに従って、第１通信デバイスが干渉を受けている否かを処理モジュール５２が決定するための具体的な方法は、第１ＣＳＩと第２ＣＳＩとの間の差が予め設定された閾値より大きい場合、第１通信デバイスが第２周波数リソース上で干渉を受けていると決定してよい。すなわち、第２周波数リソースのチャネル品質は、第１周波数リソースのチャネル品質よりもはるかに低い場合、処理モジュール５２は、第１通信デバイスが第２周波数リソース上で干渉を受けていると決定してよい。
【０１８９】
代わりに、受信モジュール５１により連続的に受信される第２ＣＳＩのＮ個の部分が、受信モジュール５１により受信された過去の平均的な第２ＣＳＩもより少ない場合、処理モジュール５２は、第１通信デバイスが第１キャリアの第２周波数リソース上で干渉を受けていると決定し、Ｎは、予め設定された自然数であり、Ｎ≧２である。受信モジュール５１は、第１ＣＳＩ及び第２ＣＳＩを定期的に受信してよい。従って、受信モジュール５１が第１通信デバイスにより送信される第２ＣＳＩの複数の部分を受信した後に、処理モジュール５２は、計算を通じて第１通信デバイスの過去の平均的な第２ＣＳＩを取得していよい。受信モジュール５１により連続的に受信される第２ＣＳＩのＮ個の部分の全てが、受信モジュール５１により受信された過去の平均的な第２ＣＳＩよりも少ない場合、処理モジュール５２は、第１通信デバイスが第２周波数リソース上で干渉を受けていると決定してよい。Ｎの値は、システム構成に従って決定される。
【０１９０】
さらに、図５に示される実施形態において、受信モジュール５１は、第１通信デバイスにより報告される第３ＣＳＩを受信するようにさらに構成され、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含み、処理モジュール５２は、第１ＣＳＩ及び第３ＣＳＩに従って、第１通信デバイスに対する第１キャリア上の干渉に関する情報を決定するようにさらに構成される。
【０１９１】
具体的には、第１通信デバイスに対する干渉は、図４に示される干渉と同様、すなわち、第１通信デバイスは、第１キャリアの両側で干渉を受けており、受信モジュール５１が第１通信デバイスにより報告される第１ＣＳＩ及び第２ＣＳＩのみを受信した場合、処理モジュール５２は、第１通信デバイスが第２周波数リソース上で干渉を受けていることのみを決定、すなわち、第１通信デバイスが一方の側におけるいくつかの周波数帯上で干渉を受けていることのみを決定する。
【０１９２】
従って、受信モジュール５１は、第１通信デバイスにより報告される第３ＣＳＩをさらに受信してよく、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含む。本明細書において、第１キャリアは、それぞれ第１周波数リソース、第２周波数リソース及び第３周波数リソースである３つの部分に同等に分割される。第２周波数リソース及び第３周波数リソースはそれぞれ、少なくとも第１キャリアのエッジリソースブロックを含む。すなわち、第２周波数リソース及び第３周波数リソースは、それぞれ、第１キャリアの２つの側におけるいくつかの周波数リソースである。この方法では、受信モジュール５１により個別に受信される第１ＣＳＩ、第２ＣＳＩ及び第３ＣＳＩは、第１通信デバイスに対する第１周波数リソース上のチャネル状態情報をより正確に反映できる。
【０１９３】
受信モジュール５１が第１ＣＳＩ、第２ＣＳＩ及び第３ＣＳＩを受信した後に、処理モジュール５２は、第１ＣＳＩ、第２ＣＳＩ及び第３ＣＳＩに従って、第１通信デバイスに対する第１キャリア上の干渉に関する情報を決定する。ネットワークデバイスは、第１キャリアの第１周波数リソース、第２周波数リソース及び第３周波数リソースにおいてチャネル状態測定を実行することによって、ユーザ機器により取得される第１ＣＳＩ、第２ＣＳＩ及び第３ＣＳＩを個別に受信する。従って広帯域ＣＳＩ解決法又は最適なＭ個のサブバンドＣＳＩ解決法を用いることにより取得されるＣＳＩと比較して、この方法を用いることにより取得される第１ＣＳＩ、第２ＣＳＩ及び第３ＣＳＩは、第１キャリアのチャネル状態をより正確に反映できる。サブバンドＣＳＩ解決法と比較すると、この方法では、第１通信デバイスは、独立した報告能力を有しており、基地局により送信されるシグナリングによりトリガされることなくチャネル状態情報を測定及び報告できる。
【０１９４】
さらに、図５に示される実施形態において、第３ＣＳＩは、第３周波数リソースに対応する平均的なチャネル状態情報である。
【０１９５】
具体的には、第３ＣＳＩが第３周波数リソースに対応する平均的なチャネル状態情報であるときに、第３周波数リソースとって、第３ＣＳＩは、広帯域ＣＳＩ解決法を用いることにより測定されるＣＳＩと同様である。従って、本実施形態におけるネットワークデバイスによれば、チャネル状態が正確に反映されるだけでなく、チャネル状態情報を測定及び報告するために利用されるリソースも低減される。
【０１９６】
さらに、異なるオペレータ又は異なる無線通信システムにより用いられ得る複数の周波数リソースは、予め割り当てられている。従って、第１キャリアが通信のために第１通信デバイスに割り当てられているときに、第１キャリアの周波数リソースであって、別のオペレータ又は別の無線通信システムからの隣接チャネル干渉があり得る複数の周波数帯が認識され得る。図４に示される隣接チャネル干渉についての問題を解決すべく、本実施形態において、さらに以下のように設定してよく、つまり、第２周波数リソース及び第３周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【０１９７】
第１周波数リソース、第２周波数リソース及び第３周波数リソースが潜在的な干渉を受ける周波数リソースであるか否かは、無線通信システム内のスペクトル配分に従って決定され得る。概して、潜在的な干渉を受ける複数の周波数リソースは、第１キャリアのいくつかのエッジ周波数リソースである。第１キャリアのこれらのエッジ周波数リソース上に隣接周波数を用いる異なるオペレータ又は異なるシステムからの干渉があり得る。
【０１９８】
さらに、図６に示される実施形態において、送信モジュール５３は、受信モジュールが第１通信デバイスにより報告される第３ＣＳＩを受信する前に、第３周波数リソースの周波数帯情報を含む通知メッセージを第１通信デバイスに送信するようにさらに構成される。
【０１９９】
第３周波数リソースの周波数帯情報は、第３周波数リソースの位置及び／又は帯域幅を示すべく用いられる情報を含む。
【０２００】
さらに、図５又は図６に示される実施形態において、受信モジュール５１は、具体的には、第１通信デバイスにより定期的に報告される第３ＣＳＩを受信するように構成される。
【０２０１】
さらに、図５又は図６に示される実施形態において、処理モジュール５２は、具体的には、第１ＣＳＩと第３ＣＳＩとの間の差が予め設定された閾値より大きい場合、第１通信デバイスが第１キャリアの第３周波数リソース上で干渉を受けていると決定し、又は、受信モジュールにより連続して受信される第３ＣＳＩのＭ個の部分が、受信モジュールにより受信された過去の平均的な第３ＣＳＩよりも少ない場合、第１通信デバイスが第１キャリアの第３周波数リソース上で干渉を受けていると決定するように構成され、Ｍは、予め設定された自然数であり、Ｍ≧２である。
【０２０２】
受信モジュール５１、処理モジュール５２及び送信モジュール５３が第３周波数リソースを測定し、第３ＣＳＩを報告するための具体的な方法は、第２周波数リソースを測定し第２ＣＳＩを報告するための方法と同じであり、本明細書において詳細は、再度説明されない。
【０２０３】
図７Ａは、本発明の複数の実施形態で提供されるユーザ機器の第３実施形態についての模式的な構造図である。図７Ａに示されるように、本実施形態のユーザ機器は、処理モジュール７１及び送信モジュール７２を含む。
【０２０４】
処理モジュール７１は、第１キャリアの第１周波数リソースにおいてチャネル状態測定を実行して第１ＣＳＩを取得し、第１キャリアの第２周波数リソースにおいてチャネル状態測定を実行して第２ＣＳＩを取得し、第１ＣＳＩ及び第２ＣＳＩに従って第１キャリア上の第１干渉情報を決定ように構成され、第１ＣＳＩは、第１キャリアの第１周波数リソースに対応するチャネル状態情報であり、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０２０５】
具体的には、本実施形態で提供されるユーザ機器は、図３Ａに示される実施形態についての別の実現方式の具体的な実施形態である。図３Ａに示される実施形態についての前述の実装方式との差異は、図３Ａに示される実施形態についての前述の実装方式では、処理モジュール３１が第１キャリアの第１周波数リソース及び第２周波数リソースのみを測定して第１ＣＳＩ及び第２ＣＳＩを個別に取得するのに対し、本実施形態では、第１ＣＳＩ及び第２ＣＳＩを取得した後に、処理モジュール７１が、さらに、第１ＣＳＩ及び第２ＣＳＩに従って第１キャリア上の第１干渉情報を決定する点にある。すなわち、本実施形態では、ユーザ機器が第１キャリア上で干渉を受けるか否かは、ユーザ機器に提供される処理モジュール７１により決定される。しかしながら、図３Ａに示される実施形態についての前述の実装方式では、決定処理が第２通信デバイスにより完了される。
【０２０６】
送信モジュール７２は、第１干渉情報を第２通信デバイスに報告するように構成される。
【０２０７】
具体的には、処理モジュール７１が第１キャリア上の第１干渉情報を決定した後に、第１干渉情報は、第２通信デバイスに報告される。第２通信デバイスは、ネットワーク内のネットワーク側デバイスである。第２通信デバイスは、第１通信デバイスにより報告されるＣＳＩを受信できる。概して、第２通信デバイスは、ネットワーク内の基地局である。第１干渉情報を受信した後に、第２通信デバイスは、他の処理を実行することなく、第１通信デバイスが第１キャリア上で干渉を受けているか否かを認識してよい。
【０２０８】
ＣＳＩを測定及び報告する処理において、報告するために占有されるリソースは、エアインタフェースの無線リソースである。複数の無線リソースは制限されており、技術的手段を用いることによって複数の無線リソースを増やすことができない。しかしながら、技術的手段を用いることによってユーザ機器の処理能力を拡張できるので、ユーザ機器は、測定手段により第１ＣＳＩ及び第２ＣＳＩを取得した後に、第１ＣＳＩ及び第２ＣＳＩに従って、第１通信デバイスが第１キャリア上で干渉を受けているか否かを決定して、第１干渉情報を取得できる。第１干渉情報は、ユーザ機器が第１キャリア上で干渉を受けているか否かに関するインジケーション情報であってよい。この方法では、第１干渉情報は、１ビットのリソースのみを占有する必要がある。代わりに、第１干渉情報は、ユーザ機器に対する第１キャリア上の干渉の程度に関する情報であってよい。ユーザ機器に対する干渉の程度は、複数のレベルに分類され、ｎビットのリソースを占有する第１干渉情報は、最大で２ｎの干渉の程度のレベルを表してよい。第１ＣＳＩ及び第２ＣＳＩを第２通信デバイスに報告するために、ユーザ機器により用いられる複数の無線リソースは、第１干渉情報を報告するために用いられる無線リソースよりもはるかに多い。従って、本実施形態で提供されるユーザ機器によれば、チャネル状態情報を報告するために用いられる複数の無線リソースを低減できる。
【０２０９】
本実施形態において、第１キャリアの第１周波数リソース及び第２周波数リソースは、第１ＣＳＩ及び第２ＣＳＩをそれぞれ取得すべく測定され、第１キャリア上の第１干渉情報は、第１ＣＳＩ及び第２ＣＳＩに従って決定され、第１干渉情報は、第２通信デバイスに報告され、第１周波数リソース及び第２周波数リソースは重なっておらず、第２周波数リソースは、少なくとも第１キャリアのエッジリソースブロックを含む。この方法では、チャネル品質を報告する装置は、相対的に少ない数のリソースを用いることによりチャネル状態を正確に測定及び報告できる。
【０２１０】
さらに、図７Ａに示される実施形態において、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【０２１１】
さらに、図７Ａに示される実施形態において、処理モジュール７１は、具体的には、第１ＣＳＩと第２ＣＳＩとの間の差が予め設定された閾値より大きい場合、第１キャリアの第２周波数リソース上で干渉を受けていると決定し、又は、第２ＣＳＩのＮ個の連続する部分が、処理モジュール７１により測定された過去の平均的な第２ＣＳＩよりも少ない場合、第１キャリアの第２周波数リソース上で干渉を受けていると決定するように構成され、Ｎは、予め設定された自然数であり、Ｎ≧２であり、送信モジュール７２は、具体的には、第１キャリアの第２周波数リソース上で干渉を受けている否かに関するインジケーション情報を第２通信デバイスに報告するように構成される。
【０２１２】
具体的には、処理モジュール７１によって第１干渉情報を決定するための具体的な方法が、本明細書で提供される。第１ＣＳＩ及び第２ＣＳＩに従って、第１通信デバイスが干渉を受けているか否かを処理モジュール７１が決定するための具体的な方法は、第１ＣＳＩと第２ＣＳＩとの間の差が予め設定された閾値より大きい場合、第１通信デバイスが第２周波数リソース上で干渉を受けていると決定してよい。すなわち、第２周波数リソースのチャネル品質が第１周波数リソースのチャネル品質よりもはるかに低い場合、処理モジュール７１は、第１通信デバイスが第２周波数リソース上で干渉を受けていると決定してよい。代わりに、処理モジュール７１により測定される第２ＣＳＩのＮ個の連続する部分が、処理モジュール７１により測定される過去の平均的な第２ＣＳＩもより少ない場合、処理モジュール７１は、第１キャリアの第２周波数リソース上で干渉を受けていると決定し、Ｎは、予め設定された自然数であり、Ｎ≧２である。従って、処理モジュール７１は、第１通信デバイスが第１キャリアの第２周波数リソース上で干渉を受けていると決定し、Ｎは、予め設定された自然数であり、Ｎ≧２である。処理モジュール７１は、第１ＣＳＩ及び第２ＣＳＩを定期的に測定してよい。従って、測定手段により第２ＣＳＩの複数の部分を取得した後に、処理モジュール７１は、計算を通じて第１通信デバイスの過去の平均的な第２ＣＳＩを取得してよい。処理モジュール７１により連続的に測定される第２ＣＳＩのＮ個の部分が処理モジュール７１により測定された過去の平均的な第２ＣＳＩよりも全て少ない場合、処理モジュール７１は、第１通信デバイスが第２周波数リソース上で干渉を受けていると決定してよい。Ｎの値は、システム構成に従って決定される。
【０２１３】
さらに、図７Ａに示される実施形態において、処理モジュール７１は、具体的には、第１ＣＳＩと第２ＣＳＩとの間の差が含まれる差分範囲に従って、第１キャリアの第２周波数リソース上で受けている干渉の程度を決定するように構成され、送信モジュール７２は、具体的には、第１キャリアの第２周波数リソース上で受けている干渉の程度を第２通信デバイスに報告するように構成される。
【０２１４】
具体的には、処理モジュール７１によって第１干渉情報を決定するための別の具体的な方法がさらに提供される。第１ＣＳＩは、潜在的な干渉を受けない第１周波数リソースに対応するチャネル状態情報である。従って、第１ＣＳＩは、相対的に安定しており、第１ＣＳＩ及び第２ＣＳＩの複数の差の範囲と第１キャリア上の第１通信デバイスに対する干渉の程度との間の対応関係は、基準として第１ＣＳＩを用いることにより予め設定されてよい。次に、第１ＣＳＩと第２ＣＳＩとの間の差が計算され、第１キャリア上の第１通信デバイスに対する干渉の程度は、第１ＣＳＩと第２ＣＳＩとの間の差が含まれる範囲に従って決定される。処理モジュール７１が第１キャリアの第２周波数リソース上で受けている干渉の程度を決定した後に、送信モジュール７２は、第１キャリアの第２周波数リソース上で受けている干渉の程度を第２通信デバイスに送信する。この測定及び報告する方法によれば、細かい粒度を有する干渉状態の情報が第２通信デバイスに報告され得る。
【０２１５】
さらに、図７Ａに示される実施形態において、第１ＣＳＩは、第１周波数リソースに対応する平均的なチャネル状態情報であり、第２ＣＳＩは、第２周波数リソースに対応する平均的なチャネル状態情報である。
【０２１６】
さらに、図７Ａに示される実施形態において、処理モジュール７１は、第１キャリアの第１周波数リソースにおいてチャネル状態測定を実行して第１ＣＳＩを取得する前に、第１周波数リソースの周波数帯情報を取得し、第１キャリアの第２周波数リソースにおいてチャネル状態測定を実行して第２ＣＳＩを取得する前に、第２周波数リソースの周波数帯情報を取得するようにさらに構成される。
【０２１７】
具体的には、処理モジュール７１は、第１キャリアの第１周波数リソース及び第２周波数リソースにおけるチャネル状態測定を個別に実行する必要がある。従って、測定を実行する前に、処理モジュール７１は、まず、第１周波数リソースの周波数帯情報及び第２周波数リソースの周波数帯情報を取得する必要がある。第１周波数リソースの周波数帯情報及び第２周波数リソースの周波数帯情報は、第１通信デバイスに予め設定されていてよく、又は、第１周波数リソースの周波数帯情報及び第２周波数リソースの周波数帯情報は、第２通信デバイスにより決定されてよい。従って、処理モジュール７１は、ユーザ機器の予め設定された情報から第１周波数リソースの周波数帯情報及び第２周波数リソースの周波数帯情報を取得してよい。代わりに、処理モジュール７１は、第２通信デバイスにより送信される通知情報から第１周波数リソースの周波数帯情報及び第２周波数リソースの周波数帯情報を取得してよい。
【０２１８】
第１周波数リソースの周波数帯情報は、第１周波数リソースの位置及び／又は帯域幅を示すべく用いられる情報を含み、第２周波数リソースの周波数帯情報は、第２周波数リソースの位置及び／又は帯域幅を示すべく用いられる情報を含む。
【０２１９】
さらに、図７Ａに示される実施形態において、処理モジュール７１は、具体的には、予め設定された情報から第１周波数リソースの周波数帯情報を取得するか又は第２通信デバイスにより送信される通知情報から第１周波数リソースの周波数帯情報を取得し、及び、予め設定された情報から第２周波数リソースの周波数帯情報を取得するか又は第２通信デバイスにより送信される通知情報から第２周波数リソースの周波数帯情報を取得するように構成される。
【０２２０】
図７Ｂは、本発明の複数の実施形態で提供されるユーザ機器の第４実施形態についての模式的な構造図である。図７Ｂに示されるように、図７Ａに基づく本実施形態のユーザ機器は、ストレージモジュール７３又は受信モジュール７４をさらに含む。
【０２２１】
ストレージモジュール７３は、第１周波数リソースの周波数帯情報及び第２周波数リソースの周波数帯情報を格納するように構成される。
【０２２２】
受信モジュール７４は、第２通信デバイスにより送信される通知情報を受信するように構成され、通知メッセージは、第１周波数リソースの周波数帯情報及び第２周波数リソースの周波数帯情報を含む。
【０２２３】
さらに、図７Ａ又は図７Ｂに示される実施形態において、第１周波数リソースの周波数帯情報は、第１周波数リソースの位置及び／又は帯域幅を示すべく用いられる情報を含み、第２周波数リソースの周波数帯情報は、第２周波数リソースの位置及び／又は帯域幅を示すべく用いられる情報を含む。
【０２２４】
さらに、図７Ａ又は図７Ｂに示される実施形態において、処理モジュール７１は、具体的には、第１周波数リソースにおいてチャネル状態測定を定期的に実行して第１ＣＳＩを取得し、第２周波数リソースにおいてチャネル状態測定を定期的に実行して第２ＣＳＩを取得するように構成される。送信モジュール７２は、具体的には、第１干渉情報を第２通信デバイスに定期的に報告し、又は、制御チャネル又はデータチャネルを用いることにより、及び、コンテンションメカニズムを用いることにより、第１干渉情報を第２通信デバイスに報告するように構成される。
【０２２５】
さらに、図７Ａ又は図７Ｂに示される実施形態において、処理モジュール７１は、第１キャリアの第３周波数リソースにおいてチャネル状態測定を実行して第３ＣＳＩを取得し、第１ＣＳＩ及び第３ＣＳＩに従って第１キャリア上の第２干渉情報を決定するようにさらに構成され、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含む。送信モジュール７２は、第２干渉情報を第２通信デバイスに報告するようにさらに構成される。
【０２２６】
具体的には、第１通信デバイスが第１キャリアの両側で干渉を受けているときに、処理モジュール７１は、第１ＣＳＩ及び第２ＣＳＩに従って、第１キャリアの第１周波数リソース及び第２周波数リソースにおいてのみチャネル状態測定を実行した場合、処理モジュール７１は、ユーザ機器が第２周波数リソース上で干渉を受けていることのみを決定できる、すなわち、第１通信デバイスが一方の側におけるいくつかの周波数帯上で干渉を受けていることのみを決定できる。送信モジュール７２が干渉情報を第２通信デバイスに送信するときに、周波数をスケジューリングする方法を用いることにより第２周波数リソースから離れている第１通信デバイスを第２通信デバイスがスケジューリングする場合、第１通信デバイスは、他方の側における周波数リソース上で干渉をさらに受ける可能性がある。
【０２２７】
従って、処理モジュール７１は、さらに、第１キャリアの第３周波数リソースにおいてチャネル状態測定を実行して第３ＣＳＩを取得してよく、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含む。本明細書において、第１キャリアは、それぞれ第１周波数リソース、第２周波数リソース及び第３周波数リソースである３つの部分に同等に分割される。第２周波数リソース及び第３周波数リソースはそれぞれ、少なくとも第１キャリアのエッジリソースブロックを含む。すなわち、第２周波数リソース及び第３周波数リソースは、それぞれ、第１キャリアの２つの側におけるいくつかの周波数リソースである。この方法では、処理モジュール７１は、第１キャリアを測定して第１ＣＳＩ、第２ＣＳＩ及び第３ＣＳＩを個別に取得するので、これは、第１通信デバイスのチャネル状態情報を第１周波数リソース上により正確に反映できる。第３周波数リソースにおいてチャネル状態測定を実行するための方法は、任意のＣＳＩ測定及び計算方式であってよい。
【０２２８】
第１キャリアの第３周波数リソース上における第１通信デバイスに対する干渉の状態、すなわち、第２干渉情報は、第１ＣＳＩ及び第３ＣＳＩに従って決定されてよい。送信モジュール７２は、第２干渉情報を第２通信デバイスに報告する。第２干渉情報を受信した後に、第２通信デバイスは、ユーザ機器に対する第１キャリア上の干渉の状態を決定してよい。
【０２２９】
さらに、図７Ａ又は図７Ｂに示される実施形態において、第３周波数リソースは、第１キャリアの周波数リソースであって、潜在的な干渉を受ける周波数リソースである。
【０２３０】
さらに、図７Ａ又は図７Ｂに示される実施形態において、処理モジュール７１は、具体的には、第１ＣＳＩと第３ＣＳＩとの間の差が予め設定された閾値より大きい場合、第１キャリアの第３周波数リソース上で干渉を受けていると決定し、又は、第３ＣＳＩのＭ個の連続する部分が、処理モジュールにより測定される過去の平均的な第３ＣＳＩよりも少ない場合、第１キャリアの第３周波数リソース上で干渉を受けていると決定するように構成され、Ｍは、予め設定された自然数であり、Ｍ≧２であり、送信モジュール７２は、具体的には、第１キャリアの第３周波数リソース上で干渉を受けているか否かに関するインジケーション情報を第２通信デバイスに報告するように構成される。
【０２３１】
さらに、図７Ａ又は図７Ｂに示される実施形態において、処理モジュール７１は、具体的には、第１ＣＳＩと第３ＣＳＩとの間の差が含まれる差分範囲に従って、第１キャリアの第３周波数リソース上で受けている干渉の程度を決定するように構成され、送信モジュール７２は、具体的には、第１キャリアの第３周波数リソース上で受けている干渉の程度を第２通信デバイスに報告するように構成される。
【０２３２】
さらに、図７Ａ又は図７Ｂに示される実施形態において、第３ＣＳＩは、第３周波数リソースに対応する平均的なチャネル状態情報である。
【０２３３】
さらに、図７Ａ又は図７Ｂに示される実施形態において、処理モジュール７１は、第１キャリアの第３周波数リソースにおいてチャネル状態測定を実行して第３ＣＳＩを取得する前に、第３周波数リソースの周波数帯情報を取得するようにさらに構成される。
【０２３４】
さらに、図７Ａ又は図７Ｂに示される実施形態において、処理モジュール７１は、具体的には、予め設定された情報から第３周波数リソースの周波数帯情報を取得するか、又は、第２通信デバイスにより送信される通知情報から第３周波数リソースの周波数帯情報を取得するように構成される。処理モジュール７１は、ストレージモジュール７３から第３周波数リソースの周波数帯情報を取得する、又は、受信モジュール７４が第２通信デバイスにより送信される通知情報を受信して、処理モジュール７１は、第２通信デバイスにより送信される通知情報から第３周波数リソースの周波数帯情報を取得する。
【０２３５】
さらに、図７Ａ又は図７Ｂに示される実施形態において、第３周波数リソースの周波数帯情報は、第３周波数リソースの位置及び／又は帯域幅を示すべく用いられる情報を含む。
【０２３６】
さらに、図７Ａ又は図７Ｂに示される実施形態において、処理モジュール７１は、具体的には、第３周波数リソースにおいてチャネル状態測定を定期的に実行して第３ＣＳＩを取得するように構成される。送信モジュール７２は、具体的には、予め割り当てられたリソースを用いることにより、第２干渉情報を第２通信デバイスに定期的に報告し、又は、制御チャネル又はデータチャネルを用いることにより、及び、コンテンションメカニズムを用いることにより、第２干渉情報を第２通信デバイスに報告するように構成される。
【０２３７】
処理モジュール７１が第３周波数リソースを測定し、送信モジュール７２が第３ＣＳＩ及び第２干渉情報を報告するための具体的な方法は、第２周波数リソースを測定し、第２ＣＳＩ及び第１干渉情報を報告するための方法と同じであり、本明細書において詳細は、再度説明されない。
【０２３８】
図７Ａ又は図７Ｂに示される実施形態のユーザ機器が、チャネル状態情報を測定及び報告する第１通信デバイスとして用いられる場合、それに応じて、チャネル状態情報を受信するネットワークデバイスは、第１通信デバイスにより報告される第１干渉情報を受信するように構成される受信モジュールであって、第１干渉情報は、第１周波数リソースに対応する第１ＣＳＩ及び第２周波数リソースに対応する第２ＣＳＩに従って、第１通信デバイスにより決定される受信モジュールと、具体的には、第１干渉情報に従って、第１通信デバイスに対する第１キャリア上の干渉に関する情報を決定するように構成される処理モジュールとを含む。受信モジュールは、第１通信デバイスにより報告される第２干渉情報を受信するようにさらに構成され、第２干渉情報は、第１周波数リソースに対応する第１ＣＳＩ及び第３周波数リソースに対応する第３ＣＳＩに従って第１通信デバイスにより決定され、処理モジュールは、具体的には、第２干渉情報に従って、第１通信デバイスに対する第１キャリア上の干渉に関する情報を決定するように構成される。
【０２３９】
図３Ａから図７Ｂに示される実施形態で提供されるユーザ機器及びネットワークデバイスは、異なるシステム間又は異なるオペレータ間の隣接チャネル干渉をキャンセルするように構成され、干渉を受ける第１通信デバイスは、キャリア全体のうち、ある一部のエッジ周波数帯のみの干渉を受ける。しかしながら、実際のネットワークオペレーションでは、同じ周波数を用いる２つの通信デバイス間の距離が相対的に短い場合、一方の通信デバイスのアップリンク送信信号が他方の通信デバイスのダウンリンク送信信号に対して干渉を引き起こす可能性もある。
【０２４０】
例えば、デバイスツーデバイス（Ｄｅｖｉｃｅ  ｔｏ  Ｄｅｖｉｃｅ、Ｄ２Ｄ）通信が用いられるネットワークにおいて、セルラーネットワーク通信及びＤ２Ｄ通信の両方が存在し、同じ周波数リソースがセルラーネットワーク通信及びＤ２Ｄ通信に対して用いられる。図８は、同一チャネルインターシステム干渉についての概略図である。図８に示されるように、ＵＥ８１は、基地局８２とのセルラーネットワーク通信を実行し、ＵＥ８３は、ＵＥ８４とのＤ２Ｄ通信を実行する。ＵＥ８３、ＵＥ８４及びＵＥ８１は、同じオペレータの同じ通信システムに属する。ＵＥ８１がアップリンクデータを基地局８２に送信するときに、ＵＥ８３又はＵＥ８４とＵＥ８１との間の距離が相対的に短い場合、又は、ＵＥ８１の送信電力が相対的に高い場合、ＵＥ８１がアップリンクデータを送信するための信号は、ＵＥ８３とＵＥ８４との間のデータ送信に干渉を引き起こす可能性がある。
【０２４１】
別の例について、全二重システム、すなわち、同一チャネルイントラシステムの場合、前述の干渉がまた、引き起こされる可能性がある。図９は、同一チャネルイントラシステム干渉についての概略図である。図９に示されるように、ＵＥ９１及びＵＥ９２は、同じオペレータの同じ通信システムに属する。ＵＥ９１は、アップリンクデータを基地局９３に送信し、ＵＥ９２は、基地局９３により送信されるダウンリンクデータを受信する。ＵＥ９１とＵＥ９２との間の距離が相対的に短い場合、又は、ＵＥ９１の送信電力が相対的に高い場合、ＵＥ９１がアップリンクデータを送信するための信号は、ＵＥ９２がダウンリンクデータを受信するための信号に対して干渉を引き起こす可能性がある。
【０２４２】
図８及び図９に示される問題を解決すべく、本発明の複数の実施形態は、さらに、ユーザ機器及びネットワークデバイスを提供する。
【０２４３】
図１０は、本発明の複数の実施形態で提供されるユーザ機器の第５実施形態についての模式的な構造図である。図１０に示されるように、本実施形態のユーザ機器は、処理モジュール１０１及び送信モジュール１０２を含む。
【０２４４】
処理モジュール１０１は、第１キャリアにおいてチャネル状態測定を実行して、第１キャリアの各サブバンド又は各スケジューリングユニットについてのチャネル状態情報ＣＳＩを取得し、各サブバンド又は各スケジューリングユニットについてのＣＳＩに従って、第１キャリア上の干渉に関する情報を決定するように構成され、スケジューリングユニットは、第１通信デバイスが配置される無線通信システムにおいてスケジューリングされる最も小さい時間−周波数リソースユニットである。
【０２４５】
具体的には、本実施形態で提供されるユーザ機器は、別の通信デバイスから干渉を受ける第１通信デバイスにおいて提供され、第１通信デバイスは、例えばＵＥであってよい。
【０２４６】
本実施形態において、同一チャネルインターシステム干渉、又は、同一チャネルイントラシステム干渉が解決される必要がある。従って、図３Ａに示される実施形態のユーザ機器により用いられるものと同じ方法は、第１キャリアを分割して、チャネル状態情報を個別に測定するために用いられることができない。同一チャネルシステムについて、干渉が発生する周波数帯を予測できない。従って、本実施形態では、処理モジュール１０１は、第１キャリアの各サブバンド又は各スケジューリングユニットにおいてチャネル状態測定を実行して、第１キャリアの各サブバンド又は各スケジューリングユニットについてのＣＳＩを取得する。すなわち、チャネル状態測定は、サブバンドＣＳＩ測定解決法を用いることにより、第１キャリアの全ての周波数帯において実行される。スケジューリングユニットは、第１通信デバイスが配置される無線通信システムにおいてスケジューリングされる最も小さい時間−周波数リソースユニットである。
【０２４７】
既存のサブバンドＣＳＩ測定及び報告解決法では、各サブバンドのチャネル状態が測定された後に、各サブバンドのＣＳＩは、基地局（すなわち、第２通信デバイス）に報告される。しかしながら、ＣＳＩを報告するために用いられる無線リソースを低減すべく、本実施形態では、処理モジュール１０１は、さらに、各サブバンド又は各スケジューリングユニットについてののＣＳＩに従って、第１キャリア上の干渉に関する情報を決定する。すなわち、図７Ａに示される実施形態と同様に、本実施形態では、第１通信デバイスが第１キャリア上で干渉を受けているか否かを決定することは、第１通信デバイス内のユーザ機器において処理される。
【０２４８】
送信モジュール１０２は、干渉情報を第２通信デバイスに報告するように構成される。
【０２４９】
具体的には、処理モジュール１０１が第１キャリア上の干渉に関する情報を決定した後に、干渉情報は、第２通信デバイスに報告される。第２通信デバイスは、ネットワーク内のネットワーク側デバイスである。第２通信デバイスは、第１通信デバイスにより報告されるＣＳＩを受信できる。概して、第２通信デバイスは、ネットワーク内の基地局である。干渉情報を受信した後に、第２通信デバイスは、他の処理を実行することなく、第１通信デバイスが第１キャリア上で干渉を受けているか否かを認識してよい。
【０２５０】
ＣＳＩを測定及び報告する処理において、報告するために占有されるリソースは、エアインタフェースの無線リソースである。複数の無線リソースは制限されており、技術的手段を用いることによって複数の無線リソースを増やすことができない。しかしながら、第１通信デバイス内のユーザ機器の処理能力は、技術的手段を用いることにより拡張され得るので、第１通信デバイス内のユーザ機器が、第１キャリアの各サブバンド又は各スケジューリングユニットにおいてチャネル状態測定を実行するのに必要とされる時間を短縮でき、第１通信デバイス内のユーザ機器は、各サブバンド又は各スケジューリングユニットについてのＣＳＩに従って、第１キャリア上の干渉に関する情報を決定できる。干渉情報は、第１通信デバイスが第１キャリアのサブバンド又はスケジューリングユニット上で干渉を受けているか否かに関するインジケーション情報であってよい。この方法では、干渉情報は、相対的に少ない数のリソースのみを占有する必要がある。
【０２５１】
従って、本実施形態で提供されるユーザ機器によれば、チャネル状態測定及び報告は、相対的に少ない数の無線リソースを用いるだけで満たされ得る。第１通信デバイスにより報告される干渉情報を受信した後に、第２通信デバイスは、干渉を受けているサブバンド又はスケジューリングユニットから離れている第１通信デバイスをスケジューリング方法を用いることによりスケジューリングしてよい。この方法では、第１通信デバイスに対する干渉をキャンセルできる。
【０２５２】
本実施形態において、チャネル状態測定は、各サブバンド又は各スケジューリングユニットについてのＣＳＩを取得すべく第１キャリアにおいて実行され、第１キャリア上の干渉に関する情報は、各サブバンド又は各スケジューリングユニットについてのＣＳＩに従って取得され、干渉情報は、第２通信デバイスに報告される。この方法では、ユーザ機器は、相対的に少ない数のリソースを用いることによりチャネル状態を正確に測定及び報告できる。
【０２５３】
さらに、図１０に示される実施形態において、処理モジュール１０１は、具体的には、第１サブバンドについてのＣＳＩのＮ個の連続する部分が、第１サブバンドの過去の平均的なＣＳＩよりも少ない場合、第１サブバンド上で干渉を受けていると決定し、又は、第１スケジューリングユニットのＣＳＩのＮ個の連続する部分が、第１スケジューリングユニットの過去の平均的なＣＳＩよりも少ない場合、第１スケジューリングユニット上で干渉を受けていると決定するように構成され、送信モジュール１０２は、具体的には、処理モジュールが、第１サブバンド上で干渉を受けていると決定した場合、第１サブバンド上で受けている干渉に関する情報を第２通信デバイスに報告し、又は、処理モジュールが、第１スケジューリングユニット上で干渉を受けていると決定した場合、第１スケジューリングユニット上で受けている干渉に関する情報を第２通信デバイスに報告するように構成される。
【０２５４】
具体的には、処理モジュール１０１によって第１干渉情報を決定するための具体的な方法が本明細書で提供される。第１サブバンドについてのＣＳＩのＮ個の連続する部分であって、処理モジュール１０１により測定されるＣＳＩのＮ個の連続する部分が、第１サブバンドについての過去の平均的なＣＳＩであって、処理モジュール１０１により測定された過去の平均的なＣＳＩよりも少ない場合、処理モジュール１０１は、第１キャリアの第１サブバンド上で干渉を受けていると決定し、又は、第１スケジューリングユニットについてのＣＳＩのＮ個の連続する部分であって、処理モジュール１０１により測定されるＣＳＩのＮ個の連続する部分が、第１スケジューリングユニットについての過去の平均的なＣＳＩであって、処理モジュール１０１により測定された過去の平均的なＣＳＩよりも少ない場合、処理モジュール１０１は、第１キャリアの第１スケジューリングユニット上で干渉を受けていると決定し、Ｎは、予め設定された自然数であり、Ｎ≧２である。処理モジュール１０１は、第１キャリアにおいてチャネル状態測定を定期的に実行してよい。従って、測定手段により、第１サブバンド又は第１スケジューリングユニットについてのＣＳＩの複数の部分を取得した後に、処理モジュール１０１は、計算を通じて、第１サブバンド又は第１スケジューリングユニットの過去の平均的なＣＳＩを取得してよい。第１サブバンドについてのＣＳＩのＮ個の連続する部分であって、処理モジュール１０１により連続的に測定されるＣＳＩのＮ個の部分が、第１サブバンドについての過去の平均的なＣＳＩであって、処理モジュール１０１により測定された過去の平均的なＣＳＩよりも少ない場合、処理モジュール１０１は、第１通信デバイスが第１キャリアの第１サブバンド上で干渉を受けていると決定してよく、又は、第１スケジューリングユニットについてのＣＳＩのＮ個の部分であって、処理モジュール１０１により連続的に測定されるＣＳＩのＮ個の部分が、第１スケジューリングユニットについての過去の平均的なＣＳＩであって、処理モジュール１０１により測定された過去の平均的なＣＳＩよりも少ない場合、処理モジュール１０１は、第１通信デバイスが第１キャリアの第１スケジューリングユニット上で干渉を受けていると決定してよい。Ｎの値は、システム構成に従って決定される。
【０２５５】
図１０に示される実施形態のユーザ機器が、チャネル状態情報を測定及び報告する第１通信デバイスとして用いられる場合、それに応じて、チャネル状態情報を受信するネットワークデバイスは、第１通信デバイスにより報告され、第１キャリア上の第１通信デバイスに対する干渉に関する情報を受信するように構成される受信モジュールであって、干渉情報は、各サブバンド又は各スケジューリングユニットについてのＣＳＩに従って、第１通信デバイスにより決定される、受信モジュールと、干渉情報に従って、第１通信デバイスに対する第１キャリア上の干渉に関する情報を決定するように構成される処理モジュールとを含む。
【０２５６】
図１１は、本発明の複数の実施形態で提供されるチャネル品質を報告する方法の第１実施形態についての概略図である。図１１に示されるように、本実施形態におけるチャネル品質を報告する方法は、以下の複数の段階を含む。
【０２５７】
段階Ｓ１１０１：第１通信デバイスは、第１キャリアの第１周波数リソースにおいてチャネル状態測定を実行して第１ＣＳＩを取得し、第１ＣＳＩは、第１キャリアの第１周波数リソースに対応するチャネル状態情報である。
【０２５８】
段階Ｓ１１０２：第１通信デバイスは、第１キャリアの第２周波数リソースにおいてチャネル状態測定を実行して第２ＣＳＩを取得し、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０２５９】
段階Ｓ１１０３：第１通信デバイスは、第１ＣＳＩに関する情報及び第２ＣＳＩに関する情報を第２通信デバイスに報告する。
【０２６０】
第１ＣＳＩに関する情報は第１ＣＳＩを含み、第２ＣＳＩに関する情報は第２ＣＳＩを含み、又は、第１ＣＳＩに関する情報及び第２ＣＳＩに関する情報は、第１干渉情報を含む。
【０２６１】
段階Ｓ１１０１及び段階Ｓ１１０２を実行することについての順序はないことに留意されたい。
【０２６２】
本実施形態におけるチャネル品質を報告する方法は、図３Ａに示されるユーザ機器による処理を完了するために用いられる。それらの実装原則及び技術的効果は同様であり、詳細は本明細書で説明されない。
【０２６３】
図１２は、本発明の複数の実施形態で提供されるチャネル品質を報告する方法の第２実施形態についての概略図である。図１２に示されるように、本実施形態におけるチャネル品質を報告する方法は、以下の複数の段階を含む。
【０２６４】
段階Ｓ１２０１：第１通信デバイスは、第１キャリアの第１周波数リソースにおいてチャネル状態測定を実行して第１ＣＳＩを取得し、第１ＣＳＩは、第１キャリアの第１周波数リソースに対応するチャネル状態情報である。
【０２６５】
段階Ｓ１２０２：第１通信デバイスは、第１キャリアの第２周波数リソースにおいてチャネル状態測定を実行して第２ＣＳＩを取得し、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０２６６】
段階Ｓ１２０３：第１通信デバイスは、第１ＣＳＩを第２通信デバイスに報告する。
【０２６７】
段階Ｓ１２０４：第１通信デバイスは、第２ＣＳＩを第２通信デバイスに報告する。
【０２６８】
段階Ｓ１２０１及び段階Ｓ１２０２を実行することについての順序はなく、段階Ｓ１２０３及び段階Ｓ１２０４を実行することについての順序はないことに留意されたい。
【０２６９】
本実施形態におけるチャネル品質を報告する方法は、図３Ａに示されるユーザ機器についての実現方式の処理を完了するために用いられる。それらの実装原則及び技術的効果は同様であり、詳細は本明細書で説明されない。
【０２７０】
図１３は、本発明の複数の実施形態で提供されるチャネル品質を報告する方法の第３実施形態についての概略図である。図１３に示されるように、本実施形態におけるチャネル品質を報告する方法は、以下の複数の段階を含む。
【０２７１】
段階Ｓ１３０１：第１通信デバイスは、第１キャリアの第１周波数リソースにおいてチャネル状態測定を実行して第１ＣＳＩを取得し、第１ＣＳＩは、第１キャリアの第１周波数リソースに対応するチャネル状態情報である。
【０２７２】
段階Ｓ１３０２：第１通信デバイスは、第１キャリアの第２周波数リソースにおいてチャネル状態測定を実行して第２ＣＳＩを取得し、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０２７３】
段階Ｓ１３０３：第１通信デバイスは、第１ＣＳＩ及び第２ＣＳＩに従って、第１キャリア上の第１干渉情報を決定する。
【０２７４】
段階Ｓ１３０４：第１通信デバイスは、第１干渉情報を第２通信デバイスに報告する。
【０２７５】
段階Ｓ１３０１及び段階Ｓ１３０２を実行することについての順序はないことに留意されたい。
【０２７６】
本実施形態におけるチャネル品質を報告する方法は、図７Ａに示されるユーザ機器についての実現方式における処理を完了するために用いられる。それらの実装原則及び技術的効果は同様であり、詳細は本明細書で説明されない。
【０２７７】
さらに、図１３に示される実施形態において、段階Ｓ１３０３は、第１ＣＳＩと第２ＣＳＩとの間の差が予め設定された閾値より大きい場合、第１キャリアの第２周波数リソース上で干渉を受けていると第１通信デバイスが決定する段階、又は、第２ＣＳＩのＮ個の連続する部分が、過去の平均的な第２ＣＳＩもより少ない場合、第１キャリアの第２周波数リソース上で干渉を受けていると第１通信デバイスが決定する段階であって、Ｎは、予め設定された自然数であり、Ｎ≧２である、段階を含み、段階Ｓ１３０４は、第１通信デバイスが、第１キャリアの第２周波数リソース上で干渉を受けているか否かに関するインジケーション情報を第２通信デバイスに報告する段階を含む。
【０２７８】
さらに、図１３に示される実施形態において、段階Ｓ１３０３は、第１ＣＳＩと第２ＣＳＩとの間の差が含まれる差分範囲に従って第１キャリアの第２周波数リソース上で受けている干渉の程度を第１通信デバイスが決定する段階を含み、段階Ｓ１３０４は、第１通信デバイスが、第１キャリアの第２周波数リソース上で受けている干渉の程度を第２通信デバイスに報告する段階を含む。
【０２７９】
さらに、図１１から図１３に示される実施形態において、第１ＣＳＩは、第１周波数リソースに対応する平均的なチャネル状態情報であり、第２ＣＳＩは、第２周波数リソースに対応する平均的なチャネル状態情報である。
【０２８０】
さらに、図１１から図１３に示される実施形態において、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【０２８１】
さらに、図１１から図１３に示される実施形態において、第１通信デバイスが、第１キャリアの第１周波数リソースにおいてチャネル状態測定を実行して第１ＣＳＩを取得する段階の前に、方法は、第１通信デバイスが、第１周波数リソースの周波数帯情報を取得する段階をさらに含み、第１通信デバイスが第１キャリアの第２周波数リソースにおいてチャネル状態測定を実行して第２ＣＳＩを取得する段階の前に、方法は、第１通信デバイスが、第２周波数リソースの周波数帯情報を取得する段階をさらに含む。
【０２８２】
さらに、図１１から図１３に示される実施形態において、第１通信デバイスが、第１周波数リソースの周波数帯情報を取得する段階は、第１通信デバイスが、予め設定された情報から第１周波数リソースの周波数帯情報を取得する段階、又は、第１通信デバイスが、第２通信デバイスにより送信される通知情報から第１周波数リソースの周波数帯情報を取得する段階を含む。第１通信デバイスが、第２周波数リソースの周波数帯情報を取得する段階は、第１通信デバイスが、予め設定された情報から第２周波数リソースの周波数帯情報を取得する段階、又は、第１通信デバイスが、第２通信デバイスにより送信される通知情報から第２周波数リソースの周波数帯情報を取得する段階を含む。
【０２８３】
さらに、図１１から図１３に示される実施形態において、第１周波数リソースの周波数帯情報は、第１周波数リソースの位置及び／又は帯域幅を示すべく用いられる情報を含む。第２周波数リソースの周波数帯情報は、第２周波数リソースの位置及び／又は帯域幅を示すべく用いられる情報を含む。
【０２８４】
さらに、図１１から図１３に示される実施形態において、第１通信デバイスが、第１キャリアの第１周波数リソースにおいてチャネル状態測定を実行して第１ＣＳＩを取得する段階は、第１通信デバイスが、第１キャリアの第１周波数リソースにおいてチャネル状態測定を定期的に実行して第１ＣＳＩを取得する段階を含み、第１通信デバイスが、第１キャリアの第２周波数リソースにおいてチャネル状態測定を実行して第２ＣＳＩを取得する段階は、第１通信デバイスが、第１キャリアの第２周波数リソースにおいてチャネル状態測定を定期的に実行して第２ＣＳＩを取得する段階を含み、第１通信デバイスが、第１ＣＳＩに関する情報及び第２ＣＳＩに関する情報を第２通信デバイスに報告する段階は、第１通信デバイスが、第１ＣＳＩに関する情報及び第２ＣＳＩに関する情報を第２通信デバイスに定期的に報告する段階を含む。
【０２８５】
図１４は、本発明の複数の実施形態で提供されるチャネル品質を報告する方法の第４実施形態についての概略図である。図１４に示されるように、本実施形態におけるチャネル品質を報告する方法は、以下の複数の段階を含む。
【０２８６】
段階Ｓ１４０１：第１通信デバイスは、第１キャリアの第１周波数リソースにおいてチャネル状態測定を実行して第１ＣＳＩを取得し、第１ＣＳＩは、第１キャリアの第１周波数リソースに対応するチャネル状態情報である。
【０２８７】
段階Ｓ１４０２：第１通信デバイスは、第１キャリアの第２周波数リソースにおいてチャネル状態測定を実行して第２ＣＳＩを取得し、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０２８８】
段階Ｓ１４０３：第１通信デバイスは、第１キャリアの第３周波数リソースにおいてチャネル状態測定を実行して第３ＣＳＩを取得し、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含む。
【０２８９】
段階Ｓ１４０４：第１通信デバイスは、第１ＣＳＩを第２通信デバイスに報告する。
【０２９０】
段階Ｓ１４０５：第１通信デバイスは、第２ＣＳＩを第２通信デバイスを報告する。
【０２９１】
段階Ｓ１４０６：第１通信デバイスは、第３ＣＳＩを第２通信デバイスに報告する。
【０２９２】
段階Ｓ１４０１、段階Ｓ１４０２及び段階Ｓ１４０３を実行することについての順序はなく、段階Ｓ１４０４、段階Ｓ１４０５及び段階Ｓ１４０６を実行することについての順序はないことに留意されたい。
【０２９３】
図１５は、本発明の複数の実施形態で提供されるチャネル品質を報告する方法の第５実施形態についての概略図である。図１５に示されるように、本実施形態におけるチャネル品質を報告する方法は、以下の複数の段階を含む。
【０２９４】
段階Ｓ１５０１：第１通信デバイスは、第１キャリアの第１周波数リソースにおいてチャネル状態測定を実行して第１ＣＳＩを取得し、第１ＣＳＩは、第１キャリアの第１周波数リソースに対応するチャネル状態情報である。
【０２９５】
段階Ｓ１５０２：第１通信デバイスは、第１キャリアの第２周波数リソースにおいてチャネル状態測定を実行して第２ＣＳＩを取得し、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０２９６】
段階Ｓ１５０３：第１通信デバイスは、第１キャリアの第３周波数リソースにおいてチャネル状態測定を実行して第３ＣＳＩを取得し、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含む。
【０２９７】
段階Ｓ１５０４：第１通信デバイスは、第１ＣＳＩ及び第２ＣＳＩに従って、第１キャリア上の第１干渉情報を決定する。
【０２９８】
段階Ｓ１５０５：第１通信デバイスは、第１ＣＳＩ及び第３ＣＳＩに従って、第１キャリア上の第２干渉情報を決定する。
【０２９９】
段階Ｓ１５０６：第１通信デバイスは、第１干渉情報を第２通信デバイスに報告する。
【０３００】
段階Ｓ１５０７：第１通信デバイスは、第２干渉情報を第２通信デバイスに報告する。
【０３０１】
段階Ｓ１５０１、段階Ｓ１５０２及び段階Ｓ１５０３を実行することについての順序はなく、段階Ｓ１５０４及び段階Ｓ１５０５を実行することについての順序はなく、段階Ｓ１５０６及び段階Ｓ１５０７を実行することについての順序はないことに留意されたい。
【０３０２】
さらに、図１５に示される実施形態において、段階Ｓ１５０５は、第１ＣＳＩと第３ＣＳＩとの間の差が予め設定された閾値より大きい場合、第１キャリアの第３周波数リソース上で干渉を受けていると第１通信デバイスが決定する段階、又は、第３ＣＳＩのＭ個の連続する部分が、過去の平均的な第３ＣＳＩよりも少ない場合、第１キャリアの第３周波数リソース上で干渉を受けていると第１通信デバイスが決定する段階であって、Ｍは、予め設定された自然数であり、Ｍ≧２である、段階を含み、段階Ｓ１５０７は、第１通信デバイスが、第１キャリアの第３周波数リソース上で干渉を受けているか否かに関するインジケーション情報を第２通信デバイスに報告する段階を含む。
【０３０３】
さらに、図１５に示される実施形態において、段階Ｓ１５０５は、第１ＣＳＩと第３ＣＳＩとの間の差が含まれる差分範囲に従って第１キャリアの第３周波数リソース上で受けている干渉の程度を第１通信デバイスが決定する段階を含み、段階Ｓ１５０７は、第１通信デバイスが、第１キャリアの第３周波数リソース上で受けている干渉の程度を第２通信デバイスに報告する段階を含む。
【０３０４】
さらに、図１４又は図１５に示される実施形態において、第３ＣＳＩは、第３周波数リソースに対応する平均的なチャネル状態情報である。
【０３０５】
さらに、図１４又は図１５に示される実施形態において、第３周波数リソースは、第１キャリアの周波数リソースであって、潜在的な干渉を受ける周波数リソースである。
【０３０６】
さらに、図１４又は図１５に示される実施形態において、第１通信デバイスが、第１キャリアの第３周波数リソースにおいてチャネル状態測定を実行して第３ＣＳＩを取得する前に、方法は、第１通信デバイスが、第３周波数リソースの周波数帯情報を取得する段階をさらに含む。
【０３０７】
さらに、図１４又は図１５に示される実施形態において、第１通信デバイスが、第３周波数リソースの周波数帯情報を取得する段階は、第１通信デバイスが、予め設定された情報から第３周波数リソースの周波数帯情報を取得する段階、又は、第１通信デバイスが、第２通信デバイスにより送信される通知情報から第３周波数リソースの周波数帯情報を取得する段階を含む。
【０３０８】
さらに、図１４又は図１５に示される実施形態において、第３周波数リソースの周波数帯情報は、第３周波数リソースの位置及び／又は帯域幅を示すべく用いられる情報を含む。
【０３０９】
さらに、図１４又は図１５に示される実施形態において、第１通信デバイスが、第１キャリアの第３周波数リソースにおいてチャネル状態測定を実行して第３ＣＳＩを取得することは、第１通信デバイスが、第１キャリアの第３周波数リソースにおいてチャネル状態測定を定期的に実行して第３ＣＳＩを取得する段階を含み、第１通信デバイスが、第３ＣＳＩを第２通信デバイスに報告することは、第１通信デバイスが、第３ＣＳＩを第２通信デバイスに定期的に報告する段階を含む。第１通信デバイスが、第２干渉情報を第２通信デバイスに報告することは、第１通信デバイスが、第２干渉情報を第２通信デバイスに定期的に報告する段階を含む。
【０３１０】
図１６は、本発明の複数の実施形態で提供されるチャネル品質を報告する方法の第６実施形態についての概略図である。図１６に示されるように、本実施形態におけるチャネル品質を報告する方法は、以下の複数の段階を含む。
【０３１１】
段階Ｓ１６０１：第２通信デバイスは、第１通信デバイスにより報告される第１ＣＳＩに関する情報及び第２ＣＳＩに関する情報を受信し、第１ＣＳＩに関する情報は、第１キャリアの第１周波数リソースに対応するチャネル状態情報に関する情報であり、第２ＣＳＩに関する情報は、第１キャリアの第２周波数リソースに対応するチャネル状態情報に関する情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０３１２】
段階Ｓ１６０２：第２通信デバイスは、第１ＣＳＩに関する情報及び第２ＣＳＩに関する情報に従って、第１通信デバイスに対する第１キャリア上の干渉に関する情報を決定する。
【０３１３】
第１ＣＳＩに関する情報は第１ＣＳＩを含み、第２ＣＳＩに関する情報は第２ＣＳＩを含み、又は、第１ＣＳＩに関する情報及び第２ＣＳＩに関する情報は、第１干渉情報を含む。
【０３１４】
本実施形態におけるチャネル品質を報告する方法は、図５に示されるネットワークデバイスによる処理を完了するために用いられる。それらの実装原則及び技術的効果は同様であり、詳細は本明細書で説明されない。
【０３１５】
図１７は、本発明の複数の実施形態で提供されるチャネル品質を報告する方法の第７実施形態についての概略図である。図１７に示されるように、本実施形態におけるチャネル品質を報告する方法は、以下の複数の段階を含む。
【０３１６】
段階Ｓ１７０１：第２通信デバイスは、第１通信デバイスにより報告される第１ＣＳＩを受信し、第１ＣＳＩは、第１キャリアの第１周波数リソースに対応するチャネル状態情報である。
【０３１７】
段階Ｓ１７０２：第２通信デバイスは、第１通信デバイスにより報告される第２ＣＳＩを受信し、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０３１８】
段階Ｓ１７０３：第２通信デバイスは、第１ＣＳＩ及び第２ＣＳＩに従って、第１通信デバイスに対する第１キャリア上の干渉に関する情報を決定する。
【０３１９】
段階Ｓ１７０１及び段階Ｓ１７０２を実行することについての順序はないことに留意されたい。
【０３２０】
さらに、図１７に示される実施形態において、段階Ｓ１７０３は、第１ＣＳＩと第２ＣＳＩとの間の差が予め設定された閾値より大きい場合、第２通信デバイスが、第１キャリアの第２周波数リソース上で第１通信デバイスが干渉を受けていると決定する段階、又は、連続的に受信される第２ＣＳＩのＮ個の部分が過去の平均的な第２ＣＳＩもより少ない場合、第２通信デバイスが、第１キャリアの第２周波数リソース上で第１通信デバイスが干渉を受けていると決定する段階であって、Ｎは、予め設定された自然数であり、Ｎ≧２である段階を含む。
【０３２１】
図１８は、本発明の複数の実施形態で提供されるチャネル品質を報告する方法の第８実施形態についての概略図である。図１８に示されるように、本実施形態におけるチャネル品質を報告する方法は、以下の複数の段階を含む。
【０３２２】
段階Ｓ１８０１：第２通信デバイスは、第１通信デバイスにより報告される第１干渉情報を受信し、第１干渉情報は、第１周波数リソースに対応する第１ＣＳＩ及び第２周波数リソースに対応する第２ＣＳＩに従って、第１通信デバイスにより決定され、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０３２３】
段階Ｓ１８０２：第２通信デバイスは、第１干渉情報に従って、第１通信デバイスに対する第１キャリア上の干渉に関する情報を決定する。
【０３２４】
さらに、図１６から図１８に示される実施形態において、第１ＣＳＩに関する情報は、第１周波数リソースに対応する平均的なチャネル状態情報に関する情報であり、第２ＣＳＩに関する情報は、第２周波数リソースに対応する平均的なチャネル状態情報に関する情報である。
【０３２５】
さらに、図１６から図１８に示される実施形態において、第２周波数リソースは、第１キャリアの周波数リソースであって、潜在的な干渉を受ける周波数リソースであり、第１周波数リソースは、第１キャリアの周波数リソースであって、潜在的な干渉を受けない周波数リソースである。
【０３２６】
さらに、図１６から図１８に示される実施形態において、第２通信デバイスが第１ＣＳＩに関する情報であって、第１通信デバイスにより報告される情報を受信する前に、方法は、第２通信デバイスが、第１周波数リソースの周波数帯情報を含む通知メッセージを第１通信デバイスに送信する段階をさらに含み、第２ＣＳＩに関する情報であって、第１通信デバイスにより報告される情報を第２通信デバイスが受信する前に、方法は、第２通信デバイスが、第２周波数リソースの周波数帯情報を含む通知メッセージを第１通信デバイスに送信する段階をさらに含む。
【０３２７】
さらに、図１６から図１８に示される実施形態において、第１周波数リソースの周波数帯情報は、第１周波数リソースの位置及び／又は帯域幅を示すべく用いられる情報を含み、第２周波数リソースの周波数帯情報は、第２周波数リソースの位置及び／又は帯域幅を示すべく用いられる情報を含む。
【０３２８】
さらに、図１６から図１８に示される実施形態において、第１ＣＳＩに関する情報であって、第１通信デバイスにより報告される情報を第２通信デバイスが受信することは、第１ＣＳＩに関する情報であって、第１通信デバイスにより定期的に報告される情報を第２通信デバイスが受信する段階を含み、第２ＣＳＩに関する情報であって、第１通信デバイスにより報告される情報を第２通信デバイスが受信することは、第２ＣＳＩに関する情報であって、第１通信デバイスにより定期的に報告される情報を第２通信デバイスが受信する段階を含む。
【０３２９】
図１９は、本発明の複数の実施形態で提供されるチャネル品質を報告する方法の第９実施形態についての概略図である。図１９に示されるように、本実施形態におけるチャネル品質を報告する方法は、以下の複数の段階を含む。
【０３３０】
段階Ｓ１９０１：第２通信デバイスは、第１通信デバイスにより報告される第１ＣＳＩを受信し、第１ＣＳＩは、第１キャリアの第１周波数リソースに対応するチャネル状態情報である。
【０３３１】
段階Ｓ１９０２：第２通信デバイスは、第１通信デバイスにより報告される第２ＣＳＩを受信し、第２ＣＳＩは、第１キャリアの第２周波数リソースに対応するチャネル状態情報であり、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０３３２】
段階Ｓ１９０３：第２通信デバイスは、第１通信デバイスにより報告される第３ＣＳＩを受信し、第３ＣＳＩは、第１キャリアの第３周波数リソースに対応するチャネル状態情報であり、第１周波数リソース、第２周波数リソース及び第３周波数リソースは、互いに重なっておらず、第３周波数リソースは、少なくとも第１キャリアのエッジリソースブロックを含む。
【０３３３】
段階Ｓ１９０４：第２通信デバイスは、第１ＣＳＩ及び第２ＣＳＩに従って、第１通信デバイスに対する第１キャリア上の干渉に関する情報を決定する。
【０３３４】
段階Ｓ１９０５：第２通信デバイスは、第１ＣＳＩ及び第３ＣＳＩに従って、第１通信デバイスに対する第１キャリア上の干渉に関する情報を決定する。
【０３３５】
段階Ｓ１９０１、段階Ｓ１９０２及び段階Ｓ１９０３を実行することについての順序はなく、段階Ｓ１９０４及び段階Ｓ１９０５を実行することについての順序はないことに留意されたい。
【０３３６】
さらに、図１９に示される実施形態において、段階Ｓ１９０５は、第１ＣＳＩと第３ＣＳＩとの間の差が予め設定された閾値より大きい場合、第１通信デバイスが第１キャリアの第３周波数リソース上で干渉を受けていると第２通信デバイスが決定する段階、又は、連続して受信される第３ＣＳＩのＭ個の部分が、過去の平均的な第３ＣＳＩよりも少ない場合、第１通信デバイスが第１キャリアの第３周波数リソース上で干渉を受けていると第２通信デバイスが決定する段階であって、Ｍは、予め設定された自然数であり、Ｍ≧２である、段階を含む。
【０３３７】
図２０は、本発明の複数の実施形態で提供されるチャネル品質を報告する方法の第１０実施形態についての概略図である。図２０に示されるように、本実施形態におけるチャネル品質を報告する方法は、以下の複数の段階を含む。
【０３３８】
段階Ｓ２００１：第２通信デバイスは、第１通信デバイスにより報告される第１干渉情報を受信し、第１干渉情報は、第１周波数リソースに対応する第１ＣＳＩ及び第２周波数リソースに対応する第２ＣＳＩに従って、第１通信デバイスにより決定され、第１周波数リソース及び第２周波数リソースは重なっておらず、第１周波数リソース内の複数のリソースブロックは連続しており、第２周波数リソース内の複数のリソースブロックは連続しており、第２周波数リソースは、第１キャリアのエッジリソースブロックを含む。
【０３３９】
段階Ｓ２００２：第２通信デバイスは、第１通信デバイスにより報告される第２干渉情報を受信し、第２干渉情報は、第１周波数リソースに対応する第１ＣＳＩ及び第３周波数リソースに対応する第３ＣＳＩに従って、第１通信デバイスにより決定される。
【０３４０】
段階Ｓ２００３：第２通信デバイスは、第１干渉情報に従って、第１通信デバイスに対する第１キャリア上の干渉に関する情報を決定する。
【０３４１】
さらに、図１９又は図２０に示される実施形態において、第３ＣＳＩは、第３周波数リソースに対応する平均的なチャネル状態情報である。
【０３４２】
さらに、図１９又は図２０に示される実施形態において、第３周波数リソースは、第１キャリアの周波数リソースであって、潜在的な干渉を受ける周波数リソースである。
【０３４３】
さらに、図１９又は図２０に示される実施形態において、段階Ｓ１９０３又は段階Ｓ２００２の前に、方法は、第２通信デバイスが、第３周波数リソースの周波数帯情報を含む通知メッセージを第１通信デバイスに送信する段階をさらに含む。
【０３４４】
さらに、図１９又は図２０に示される実施形態において、第３周波数リソースの周波数帯情報は、第３周波数リソースの位置及び／又は帯域幅を示すべく用いられる情報を含む。
【０３４５】
さらに、図１９又は図２０に示される実施形態において、段階Ｓ１９０３は、第２通信デバイスが、第１通信デバイスにより定期的に報告される第３ＣＳＩを受信する段階を含む。段階Ｓ２００２は、第１通信デバイスにより定期的に報告される第２干渉情報を第２通信デバイスが受信する段階を含む。
【０３４６】
図２１は、本発明の複数の実施形態で提供されるチャネル品質を報告する方法の第１１実施形態についての概略図である。図２１に示されるように、本実施形態におけるチャネル品質を報告する方法は、以下の複数の段階を含む。
【０３４７】
段階Ｓ２１０１：第１通信デバイスは、第１キャリアにおいてチャネル状態測定を実行して、第１キャリアの各サブバンド又は各スケジューリングユニットについてのＣＳＩを取得し、スケジューリングユニットは、第１通信デバイスが配置される無線通信システムにおいてスケジューリングされる最も小さい時間−周波数リソースユニットである。
【０３４８】
段階Ｓ２１０２：第１通信デバイスは、各サブバンド又は各スケジューリングユニットについてのＣＳＩに従って第１キャリア上の干渉に関する情報を決定する。
【０３４９】
段階Ｓ２１０３：第１通信デバイスは、干渉情報を第２通信デバイスに報告する。
【０３５０】
本実施形態におけるチャネル品質を報告する方法は、図１０に示されるユーザ機器による処理を完了するために用いられる。それらの実装原則及び技術的効果は同様であり、詳細は本明細書で説明されない。
【０３５１】
さらに、図２１に示される実施形態において、段階Ｓ２１０２は、第１サブバンドについてのＣＳＩのＮ個の連続する部分が、第１サブバンドの過去の平均的なＣＳＩよりも少ない場合、第１通信デバイスが、第１サブバンド上で干渉を受けていると決定する段階、又は、第１スケジューリングユニットのＣＳＩのＮ個の連続する部分が、第１スケジューリングユニットの過去の平均的なＣＳＩよりも少ない場合、第１通信デバイスが、第１スケジューリングユニット上で干渉を受けていると決定する段階を含み、段階Ｓ２１０３は、第１通信デバイスが、第１サブバンド上で干渉を受けていると決定した場合、第１通信デバイスが、第１サブバンド上で受けている干渉に関する情報を第２通信デバイスに報告する段階、又は、第１通信デバイスが、第１スケジューリングユニット上で干渉を受けていると決定した場合、第１通信デバイスが、第１スケジューリングユニット上で受けている干渉に関する情報を第２通信デバイスに報告する段階を含む。
【０３５２】
図２２は、本発明の複数の実施形態で提供されるチャネル品質を報告する方法の第１２実施形態についての概略図である。図２２に示されるように、本実施形態におけるチャネル品質を報告する方法は、以下の複数の段階を含む。
【０３５３】
段階Ｓ２２０１：第２通信デバイスは、第１通信デバイスにより報告される、第１通信デバイスに対する第１キャリア上の干渉に関する情報を受信し、干渉情報は、各サブバンド又は各スケジューリングユニットについてのＣＳＩに従って第１通信デバイスにより決定される。
【０３５４】
段階Ｓ２２０２：第２通信デバイスは、干渉情報に従って、第１通信デバイスに対する第１キャリア上の干渉に関する情報を決定する。
【０３５５】
本発明の複数の実施形態において、処理モジュール３１、処理モジュール７１又は処理モジュール１０１は、ユーザ機器内のプロセッサに対応し得ることに留意されたい。本明細書におけるプロセッサは、中央処理装置（Ｃｅｎｔｒａｌ  Ｐｒｏｃｅｓｓｉｎｇ  Ｕｎｉｔ、ＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）又は本発明の複数の実施形態を完備する１又は複数の集積回路であってよい。送信モジュール３２、送信モジュール７２又は送信モジュール１０２は、ユーザ機器内の送信機に対応してよく、又は、ユーザ機器内の送受信機に対応してよい。受信モジュール３４又は受信モジュール７４は、ユーザ機器内の受信機に対応してよく、又は、ユーザ機器内の送受信機に対応してよい。ストレージモジュール３３又はストレージモジュール７３は、ユーザ機器内のメモリに対応してよい。メモリは、命令コードを格納するように構成される。プロセッサは、メモリ内の命令コードを呼び出して、前述の動作を実行すべく、本発明の複数の実施形態におけるユーザ機器内の他のモジュールを制御する。
【０３５６】
本発明の複数の実施形態における受信モジュール５１は、ネットワークデバイス内の受信機に対応してよく、又は、ネットワークデバイス内の送受信機に対応してよい。処理モジュール５２は、ネットワークデバイス内のプロセッサに対応してよい。本明細書におけるプロセッサは、ＣＰＵ、ＡＳＩＣ又は本発明の複数の実施形態を完備する１又は複数の集積回路であってよい。送信モジュール５３は、ネットワークデバイス内の送信機に対応してよく、又は、ネットワークデバイス内の送受信機に対応してよい。ネットワークデバイスは、メモリをさらに含んでよく、メモリは、命令コードを格納するように構成される。プロセッサは、メモリ内の命令コードを呼び出し、前述の動作を実行すべく、本発明の複数の実施形態における受信モジュール５１及び送信モジュール５３を制御する。
【０３５７】
当業者は、方法の複数の実施形態についての全て又はいくつかの段階が、関連するハードウェアを指示するプログラムにより実装され得ることを理解し得る。プログラムは、コンピュータ可読記憶媒体に格納されてよい。プログラムが動作するときに、方法の複数の実施形態についての複数の段階が実行される。前述の記憶媒体は、ＲＯＭ、ＲＡＭ、磁気ディスク又は光ディスクのような、プログラムコードを格納できる任意の媒体を含む。
【０３５８】
最後に、前述の実施形態は、本発明の技術的解決法を説明することを単に意図したものであって、本発明を限定することを意図したものでないことに留意されたい。本発明は、前述の実施形態を参照して詳細に説明されているが、当業者は、前述の実施形態に説明される技術的解決法に対してさらに変更を加えてよく、又は、それらのいくつか又は全ての技術的な特徴に対する同等な置き換えを行ってよいことが理解されるべきである。従って、本発明の保護範囲は、特許請求の範囲の保護範囲に従うことになる。
【図１】
0006445675.tif 000002
【図２】
0006445675.tif 000003
【図３Ａ】
0006445675.tif 000004
【図３Ｂ】
0006445675.tif 000005
【図４】
0006445675.tif 000006
【図５】
0006445675.tif 000007
【図６】
0006445675.tif 000008
【図７Ａ】
0006445675.tif 000009
【図７Ｂ】
0006445675.tif 000010
【図８】
0006445675.tif 000011
【図９】
0006445675.tif 000012
【図１０】
0006445675.tif 000013
【図１１】
0006445675.tif 000014
【図１２】
0006445675.tif 000015
【図１３】
0006445675.tif 000016
【図１４】
0006445675.tif 000017
【図１５】
0006445675.tif 000018
【図１６】
0006445675.tif 000019
【図１７】
0006445675.tif 000020
【図１８】
0006445675.tif 000021
【図１９】
0006445675.tif 000022
【図２０】
0006445675.tif 000023
【図２１】
0006445675.tif 000024
【図２２】
0006445675.tif 000025